(57)【要約】本発明は多重光源を用いた皮膚状態測定装置に係り、本発明の多重光源を用いた皮膚状態測定装置は、皮膚の測定位置に接触した状態で、相異なる波長の光が皮膚の内部の一側に選択的に照射されるように、光が発光される位置をそれぞれ遮蔽したケーシング部；前記ケーシング部の内部に配置されており、皮膚の一側方向に可視光線光、紫外線光及び赤外線光を選択的に反射により間接光状で照射しながら、光が照射される皮膚を撮影する反射撮影部；前記ケーシング部の内部に配置されており、前記反射撮影部に位置し、前記反射撮影部から照射される光が通過しながら皮膚に直接照射される直接光状で照射し、皮膚状態をセンシングする直射センシング部；前記ケーシング部の内部に配置されており、前記反射撮影部と前記直射発光部を制御し、可視光線光、紫外線光及び赤外線光のうち選択された光を皮膚に間接光状で照射し、皮膚状態に応じて浸透される直接光状で照射するように制御しながら撮影を行って転送する制御部；前記ケーシング部の一側に配置されており、前記制御部と電気的に連結され、前記制御部で撮影されたイメージを皮膚状態に応じて合成し、色相と形を対照して分析する撮影分析部；を含む。【選択図】図１
2020513966.tif 000002
【特許請求の範囲】
【請求項１】
皮膚の測定位置に接触した状態で、相異なる波長の光が皮膚の内部の一側に選択的に照射されるように、光が発光される位置をそれぞれ遮蔽したケーシング部；
前記ケーシング部の内部に配置されており、皮膚の一側方向に可視光線光、紫外線光及び赤外線光を選択的に反射により間接光状で照射しながら、光が照射される皮膚を撮影する反射撮影部；
前記ケーシング部の内部に配置されており、前記反射撮影部に位置し、前記反射撮影部から照射される光が通過しながら皮膚に直接照射される直接光状で照射し、皮膚状態をセンシングする直射センシング部；
前記ケーシング部の内部に配置されており、前記反射撮影部と前記直射発光部を制御し、可視光線光、紫外線光及び赤外線光のうち選択された光を皮膚に間接光状で照射し、皮膚状態に応じて浸透される直接光状で照射するように制御しながら撮影を行って転送する制御部；
前記ケーシング部の一側に配置されており、前記制御部と電気的に連結され、前記制御部で撮影されたイメージを皮膚状態に応じて合成し、色相と形を対照して分析する撮影分析部；を含む多重光源を用いた皮膚状態測定装置。
【請求項２】
前記ケーシング部は、
皮膚の測定時に皮膚と接触し、使用者の操作により光を照射するように具備されており、内部の一側が開放され、前記反射撮影部、前記直射センシング部及び前記制御部が設置される空間形状のケーシング空間を有するケーシング本体；及び
前記ケーシング本体の一側に配置されており、内部の他側に前記反射撮影部が設置された状態で、一側中央において一部開放される遮断開放孔を除いた残り位置に前記反射撮影部から照射される光を遮断する遮断空間を有し、前記遮断空間の一側の複数位置に前記直射センシング部の相異なる波長の赤外線光が照射される部分が挿入される直射発光孔と、前記直射センシング部の皮膚をセンシングする部分が挿入されるセンサー設置孔が形成された遮断体；を含む、請求項１に記載の多重光源を用いた皮膚状態測定装置。
【請求項３】
前記反射撮影部は、
前記ケーシング部の内部に配置されており、前記ケーシング部の光を遮蔽する部分の開放された他側を閉鎖し、光が他側に発散されることを遮断する発光遮断体；
前記発光遮断体から一側に既設定された距離で離れて配置されており、中央から既設定された距離で離れた外周の複数位置に、可視光線光、紫外線光及び赤外線光が他側に向かって照射されるようにそれぞれ具備された状態で前記制御部で制御できるように連結され、制御信号により可視光線光、紫外線光及び赤外線光を選択的に他側方向に照射する反射発光体；
前記発光遮断体と前記反射発光体との間に配置されており、前記反射発光体の他側を包みながらラウンド状で具備され、一側が開放されて内部に前記反射発光体が位置した反射空間を有し、前記反射空間の奥には前記反射発光体の作動により他側に照射される光が一側方向に屈折されるように反射する反射面が形成され、中央に貫通した通孔状の反射通孔が形成された反射本体；
前記発光遮断体の一側に固定配置されており、前記反射通孔に挿入され、前記反射発光体から照射されて前記反射本体に反射される光と前記直射センシング部から直射される光を選択的に照射した状態の皮膚を撮影する撮影モジュール；を含む、請求項１に記載の多重光源を用いた皮膚状態測定装置。
【請求項４】
前記反射撮影部は、
前記ケーシング部の内部に配置されており、前記ケーシング部の光を遮蔽する部分の開放された他側を閉鎖し、光が他側に発散されることを遮断する発光遮断体；
前記発光遮断体から一側に既設定された距離で離れて配置されており、中央から既設定された距離で離れた外周の複数位置に、可視光線光、紫外線光及び赤外線光が他側に向かって照射されるようにそれぞれ具備された状態で、前記制御部で制御できるように連結され、制御信号により可視光線光、紫外線光及び赤外線光を選択的に他側方向に照射する反射発光体；
前記発光遮断体と前記反射発光体との間に配置されており、前記反射発光体の他側を包みながらラウンド状で具備され、一側が開放されて内部に前記反射発光体が位置した反射空間を有し、前記反射空間の奥には前記反射発光体の作動により他側に照射される光が一側方向に屈折されるように反射する反射面が形成され、中央に貫通した通孔状の反射通孔が形成された反射本体；
前記発光遮断体と前記反射本体との間に配置されており、前記反射通孔から既設定された距離で離れた一側に位置し、中央から一側方向に像を屈折させるミラー状で具備され、撮影される画像を一側に屈折させる撮影ミラー；及び
前記ケーシング部の内部に配置されており、前記発光遮断体の一側に、前記ケーシング部の光を遮蔽する部分の一側面における中央方向を撮影する位置に、前記撮影ミラーで屈折された画像を撮影するように具備され、前記反射発光体から照射されて前記反射本体に反射される光と前記直射センシング部から直射される光を選択的に照射した状態の皮膚を撮影する撮影モジュール；を含む、請求項１に記載の多重光源を用いた皮膚状態測定装置。
【請求項５】
前記反射撮影部は、
前記ケーシング部の内部に配置されており、前記ケーシング部の光を遮蔽する部分の開放された他側を閉鎖し、光が他側に発散されることを遮断する発光遮断体；
前記発光遮断体から一側に既設定された距離で離れて配置されており、中央から既設定された距離で離れた外周の複数位置に、可視光線、紫外線及び赤外線光が肌方向である一側に向かって照射されるようにそれぞれ具備された状態で、前記制御部で制御されるように連結されて、制御信号により可視光線光、紫外線光及び赤外線光を選択的に一側方向に照射する反射発光体 ；
前記反射発光体の一側に配置されており、前記反射発光体と皮膚との間に位置し、前記反射発光体から発光される光の照射範囲を拡大するように拡散し、間接光状で皮膚に照射するように設置された拡散板；及び
前記発光遮断体の一側中央に固定配置されており、前記反射発光体の他側に既設定された距離で離れて、前記拡散板を通して拡散された光と前記直射センシング部から直射される光を選択的に照射した状態の皮膚を撮影する撮影モジュール；を含む、請求項１に記載の多重光源を用いた皮膚状態測定装置。
【請求項６】
前記直射センシング部は、
前記反射撮影部の一側に配置されており、前記ケーシング部の前記反射撮影部が設置されて遮蔽される一側に位置し、中央に前記反射撮影部の反射光と撮影される皮膚が露出されるように貫通した直射遮断通孔を有する直射遮断体；
前記直射遮断体の一側に複数配置されており、前記直射遮断通孔の外周位置に赤外線光が発光されるように具備され、前記ケーシング部の前記反射撮影部を遮断した一側外に突出するように挿入されて、皮膚に直接的に光を照射する直射発光体；及び
前記直射遮断体の一側に配置されており、前記ケーシング部の前記反射撮影部を遮断した一側外に突出するように挿入されて、皮膚に近接した状態で皮膚の状態を測定するセンサー体；を含む、請求項1に記載の多重光源を用いた皮膚状態測定装置。
【請求項７】
前記直射センシング部は、
前記反射撮影部の一側に配置されており、前記ケーシング部の前記反射撮影部が設置されて遮蔽される一側に位置し、中央に前記反射撮影部の反射光と撮影される皮膚が露出されるように貫通した直射遮断通孔を有する直射遮断体；
前記直射遮断体の一側に複数で配置されており、前記直射遮断通孔の外周に複数の相異なる波長を有する赤外線光が発光されるように具備され、前記ケーシング部の前記反射撮影部を遮断した一側外に突出するように挿入されて、皮膚に直接的に光を照射する直射発光体；及び
前記直射遮断体の一側に配置されており、前記ケーシング部の前記反射撮影部を遮断した一側外に突出するように挿入されて、皮膚に近接した状態で皮膚の状態を測定するセンサー体；を含む、請求項1に記載の多重光源を用いた皮膚状態測定装置。
【請求項８】
前記直射センシング部は、
前記反射撮影部の一側に配置されており、前記ケーシング部の前記反射撮影部が設置されて遮蔽される一側に位置し、中央に前記反射撮影部の反射光と撮影される皮膚が露出されるように貫通した直射遮断通孔を有する直射遮断体；
前記直射遮断体の一側に複数で配置されており、前記直射遮断通孔の外周に、複数の相異なる波長を有する赤外線光と可視光線がそれぞれ発光されるように具備され、前記ケーシング部の前記反射撮影部を遮断した一側外に突出するように挿入されて、皮膚に直接的に光を照射する直射発光体；及び
前記直射遮断体の一側に配置されており、前記ケーシング部の前記反射撮影部を遮断した一側外に突出するように挿入されて、皮膚に近接した状態で皮膚の状態を測定するセンサー体；を含む、請求項1に記載の多重光源を用いた皮膚状態測定装置。
【請求項９】
前記センサー体は、油分測定センサー、水分測定センサー、弾力測定センサー、温度センサー、超音波測定センサー及びｐＨ測定センサーのうち何れか一つ以上の測定センサーが具備される、請求項６〜請求項８の何れか1項に記載の多重光源を用いた皮膚状態測定装置。
【請求項１０】
前記制御部は、
前記ケーシング部の一側面に突出配置されており、使用者の押し作動により光出力と撮影を制御するように操作して制御信号を発生させる制御スイッチ；
前記ケーシング部の内部に配置されており、前記制御スイッチと連結されて、操作信号により前記反射撮影部から照射される可視光線光、紫外線光及び赤外線光を選択的に照射するか否かを判断してそれぞれの間接発光制御信号を生成し、前記直射センシング部で皮膚に浸透される光を直接照射するか否かを判断して直接発光制御信号を生成し、前記反射撮影部で前記反射撮影部と前記直射センシング部により発散される光の組み合わせにより、それぞれ撮影するか否かを判断して撮影を行う撮影実施信号を生成し、前記直射センシング部で皮膚状態をセンシングする部分を選択的に測定するように測定制御信号を生成する制御体；
前記ケーシング部の内部に配置されており、前記制御体と前記反射撮影部が連結されて生成された前記間接発光制御信号により、前記反射撮影部から間接光状の反射可視光線光を発光するように制御する反射可視光線制御部；
前記ケーシング部の内部に配置されており、前記制御体と前記反射撮影部が連結されて生成された前記間接発光制御信号により、前記反射撮影部から間接光状の反射紫外線光を発光するように制御する反射紫外線制御部；
前記ケーシング部の内部に配置されており、前記制御体と前記反射撮影部が連結されて生成された前記間接発光制御信号により、前記反射撮影部から間接光状の反射赤外線光を発光するように制御する反射赤外線制御部；
前記ケーシング部の内部に配置されており、前記制御体と前記直射センシング部が連結されて生成された前記直接発光制御信号により、前記直射センシング部から、複数の相異なる波長のうち選択された波長を直接光状にして直射赤外線光を発光するように制御する直射赤外線制御部；
前記ケーシング部の内部に配置されており、前記制御体と前記反射撮影部と連結されて生成された前記撮影実施信号により、皮膚を撮影するように制御し、撮影されたイメージを前記撮影分析部に転送する撮影制御部；及び
前記ケーシング部の内部に配置されており、前記制御体と前記反射撮影部と連結されて生成された前記測定制御信号により、前記直射センシング部で選択された測定センサーにて皮膚状態を測定するように制御するセンサー制御部；を含む、請求項１に記載の多重光源を用いた皮膚状態測定装置。
【請求項１１】
前記撮影分析部は、
前記ケーシング部の一側に配置されており、前記反射撮影部から照射される間接光と前記直射センシング部から照射される直接光を、前記制御部で制御された多重光が照射される条件下で、前記反射撮影部で撮影する部分と連結されて撮影された複数のイメージを前記制御部を通して入力され、入力された複数のイメージを合成する画面合成部；
前記ケーシング部の一側に配置されており、前記画面合成部と連結されて合成されたイメージと、皮膚に生成される物質の種類に応じて色相別に生成された色相基本情報とを対照し、皮膚に生成された物質を診断する色相対照部；及び
前記ケーシング部の一側に配置されており、前記画面合成部と連結されて合成されたイメージと、皮膚に生成される物質の種類に応じて形態別に生成された形態基本情報とを対照し、皮膚に生成された物質を診断する形態対照部；を含む、請求項1に記載の多重光源を用いた皮膚状態測定装置。
【請求項１２】
皮膚の測定位置に選択的に照射されるように、相異なる波長の光源を区分して配置した発光体；
前記光源から光が照射された状態で、前記測定位置を撮影する撮影モジュール；
前記発光体の相異なる光源から照射される光が、前記撮影モジュールに直接照射されないように遮蔽するケーシング本体；
前記ケーシング本体の内側に配置され、前記発光体の照射及び前記撮影モジュールの動作を制御する制御部；及び
前記測定位置の皮膚表面から皮膚の内側の既設定された深さまで撮影された複数のイメージを合成し、深さ軸に合成されたイメージを生成する撮影分析部；を含み、
前記撮影分析部は、前記合成されたイメージを分析し、前記測定位置でほくろの存在可否、存在するほくろの大きさ、形態、色相などの情報を取得し、これに基づき、前記ほくろの深さ又は前記ほくろが母斑を構成するメラニンの変形であるか否かを分析することを特徴とする、多重光源を用いた皮膚状態測定装置。
【発明の詳細な説明】
【技術分野】
【０００１】
本発明は、多重光源を用いた皮膚状態測定装置に関するものであり、より詳細には、皮膚に浸透される深さの異なる可視光線、紫外線及び赤外線の多重光源を照射して、皮膚内に沈着されている物質の形態、大きさ及び色相などの情報を撮影したイメージを分析し、皮膚の状態と皮膚病の症状を予め把握するために視覚的に確認しながら測定することによって、測定の正確性を向上させて、皮膚内に沈着された深さと形態に応じて皮膚の診断に基礎資料を提供する多重光源を用いた皮膚測定装置に関する。
【背景技術】
【０００２】
一般に、皮膚（ｓｋｉｎ）は、体内の筋肉と器官を保護する身体の器官であって、病原菌から身体を保護する非常に重要な役割を果たしている。また、皮膚のその他の主要機能としては、断熱（ｉｎｓｕｌａｔｉｏｎ）と体温調節機能、感覚機能、そしてビタミンＤの合成とビタミンＢ葉酸塩（ｆｏｌａｔｅｓ）の保護機能などがある。
【０００３】
かかる皮膚は、外気に直接接触しながら病原菌から身体を守り、身体の外部器官に外部の老廃物が直接接触して毛根に溜まったり、皮脂またはブラックヘッドが発生し、老廃物の蓄積により皮膚の内部に浸透すると、色相沈着が発生して皮膚が損傷されるため、皮膚測定装置を通して老廃物の形態と深さを測定し、管理又は治療を行っている。
【０００４】
さらに、皮膚は太陽光が照射されると、上述した主要機能を行いながら、健康の維持に有利な効果が作用するが、長時間直射される太陽光に露出されると、色相沈着、日光火傷、光老化などが発生したり、深刻な場合にはほくろ状の黒色腫による皮膚癌が発生することもある。
【０００５】
したがって、皮膚の測定において、単なる皮膚の内部における毛根、色相沈着、皮脂、ブラックヘッドなどの美容的な皮膚状態を測定するだけでなく、母斑、腫瘍、白斑症、黒色腫及び傷などの皮膚疾病についても測定する必要性が増大している状況である。
【０００６】
従来の技術による皮膚測定装置は、フィルターを用いて多重光を照射する装置が開発され使用されてきた。かかる従来技術による皮膚測定装置は、紫外線光線を皮膚に照射し、カメラのセンサー体には紫外線光遮断フィルターを装着して、可視光線だけをカメラで見るようにすると、紫外線光により励起されて可視光線で発光されるポルフィリン及びメラニンを観察することができる。
【０００７】
しかし、偏光フィルターと紫外線光遮断フィルターを共に使用すると、光が遮られすぎてカメラが暗くなりすぎるため、紫外線光による発光効果を極大化することが困難である。
【０００８】
また、各光源を内蔵したカメラを変えながら皮膚を観察する場合、同じ位置の皮膚を観察することが容易でない。なお、長時間の作動時に、白色光源、紫外線光源の寿命が急激に減ってしまい、特に紫外線光線の場合には皮膚にメラニン色素沈着と皮膚損傷が起こり得る。
【０００９】
したがって、従来の皮膚観察装置は、特定の一つの部位を多様な光源で観察することが容易でなく、長時間の作動により使用される光源の寿命が縮まり、長時間の紫外線の照射により皮膚にメラニン色素沈着と皮膚損傷が起こり得るという問題点があった。
【発明の概要】
【発明が解決しようとする課題】
【００１０】
本発明は、前述した問題点を解決するために案出されたものであり、本発明の目的は、皮膚に浸透される深さの異なる可視光線、紫外線及び赤外線の多重光源を照射して、皮膚内に沈着されている物質の形態、大きさと色相などの情報を撮影したイメージを分析し、皮膚の状態と皮膚病の症状を予め把握するために、視覚的に確認しながら測定することによって、測定の正確性を向上させて、皮膚内に沈着された深さと形態に応じて皮膚の診断に基礎資料を提供する多重光源を用いた皮膚測定装置を提供することにある。
【００１１】
本発明の目的は、前述した目的に制限されなく、言及していない他の目的は以下の記載により明確に理解できると考える。
【課題を解決するための手段】
【００１２】
上記目的を達成するために、本発明の一実施例に係る多重光源を用いた皮膚状態測定装置は、皮膚の測定位置に接触した状態で、相異なる波長の光が皮膚の内部の一側に選択的に照射されるように、光が発光される位置をそれぞれ遮蔽したケーシング部；前記ケーシング部の内部に配置されており、皮膚の一側方向に可視光線光、紫外線光及び赤外線光を選択的に反射により間接光状で照射しながら、光が照射される皮膚を撮影する反射撮影部；前記ケーシング部の内部に配置されており、前記反射撮影部に位置し、前記反射撮影部から照射される光が通過しながら皮膚に直接照射される直接光状で照射し、皮膚状態をセンシングする直射センシング部；前記ケーシング部の内部に配置されており、前記反射撮影部と前記直射発光部を制御し、可視光線光、紫外線光及び赤外線光のうち選択された光を皮膚に間接光状で照射し、皮膚状態に応じて浸透される直接光状で照射するように制御しながら撮影を行って転送する制御部；前記ケーシング部の一側に配置されており、前記制御部と電気的に連結され、前記制御部で撮影されたイメージを皮膚状態に応じて合成し、色相と形を対照して分析する撮影分析部；を含む。
【００１３】
また、前記ケーシング部は、皮膚の測定時に皮膚と接触し、使用者の操作により光を照射するように具備されており、内部の一側が開放され、前記反射撮影部、前記直射センシング部及び前記制御部が設置される空間形状のケーシング空間を有するケーシング本体；及び前記ケーシング本体の一側に配置されており、内部の他側に前記反射撮影部が設置された状態で、一側中央において一部開放される遮断開放孔を除いた残り位置に前記反射撮影部から照射される光を遮断する遮断空間を有し、前記遮断空間の一側の複数位置に前記直射センシング部の相異なる波長の赤外線光が照射される部分が挿入される直射発光孔と、前記直射センシング部の皮膚をセンシングする部分が挿入されるセンサー設置孔が形成された遮断体；を含むことができる。
【００１４】
そして、前記反射撮影部は、前記ケーシング部の内部に配置されており、前記ケーシング部の光を遮蔽する部分の開放された他側を閉鎖し、光が他側に発散されることを遮断する発光遮断体；前記発光遮断体から一側に既設定された距離で離れて配置されており、中央から既設定された距離で離れた外周の複数位置に、可視光線光、紫外線光及び赤外線光が他側に向かって照射されるようにそれぞれ具備された状態で前記制御部で制御できるように連結され、制御信号により可視光線光、紫外線光及び赤外線光を選択的に他側方向に照射する反射発光体；前記発光遮断体と前記反射発光体との間に配置されており、前記反射発光体の他側を包みながらラウンド状で具備され、一側が開放されて内部に前記反射発光体が位置した反射空間を有し、前記反射空間の奥には前記反射発光体の作動により他側に照射される光が一側方向に屈折されるように反射する反射面が形成され、中央に貫通した通孔状の反射通孔が形成された反射本体；前記発光遮断体の一側に固定配置されており、前記反射通孔に挿入され、前記反射発光体から照射されて前記反射本体に反射される光と前記直射センシング部から直射される光を選択的に照射した状態の皮膚を撮影する撮影モジュール；を含むことができる。
【００１５】
また、前記反射撮影部は、前記ケーシング部の内部に配置されており、前記ケーシング部の光を遮蔽する部分の開放された他側を閉鎖し、光が他側に発散されることを遮断する発光遮断体；前記発光遮断体から一側に既設定された距離で離れて配置されており、中央から既設定された距離で離れた外周の複数位置に、可視光線光、紫外線光及び赤外線光が他側に向かって照射されるようにそれぞれ具備された状態で前記制御部で制御できるように連結され、制御信号により可視光線光、紫外線光及び赤外線光を選択的に他側方向に照射する反射発光体；前記発光遮断体と前記反射発光体との間に配置されており、前記反射発光体の他側を包みながらラウンド状で具備され、一側が開放されて内部に前記反射発光体が位置した反射空間を有し、前記反射空間の奥には前記反射発光体の作動により他側に照射される光が一側方向に屈折されるように反射する反射面が形成され、中央に貫通した通孔状の反射通孔が形成された反射本体；前記発光遮断体と前記反射本体との間に配置されており、前記反射通孔から既設定された距離で離れた一側に位置し、中央から一側方向に像を屈折させるミラー状で具備され、撮影される画像を一側に屈折させる撮影ミラー；及び前記ケーシング部の内部に配置されており、前記発光遮断体の一側に、前記ケーシング部の光を遮蔽する部分の一側面における中央方向を撮影する位置に、前記撮影ミラーで屈折された画像を撮影するように具備され、前記反射発光体から照射されて前記反射本体に反射される光と前記直射センシング部から直射される光を選択的に照射した状態の皮膚を撮影する撮影モジュール；を含むことができる。
【００１６】
さらに、前記反射撮影部は、前記ケーシング部の内部に配置されており、前記ケーシング部の光を遮蔽する部分の開放された他側を閉鎖し、光が他側に発散されることを遮断する発光遮断体；前記発光遮断体から一側に既設定された距離で離れて配置されており、中央から既設定された距離で離れた外周の複数位置に、可視光線光、紫外線光及び赤外線光が肌方向である一側に向かって照射されるようにそれぞれ具備された状態で、前記制御部で制御されるように連結されて、制御信号により可視光線光、紫外線光及び赤外線光を選択的に一側方向に照射する反射発光体；前記反射発光体の一側に配置されており、前記反射発光体と皮膚との間に位置し、前記反射発光体から発光される光の照射範囲を拡大するように拡散し、間接光状で皮膚に照射するように設置された拡散板；及び前記発光遮断体の一側中央に固定配置されており、前記反射発光体の他側に既設定された距離で離れて、前記拡散板を通して拡散された光と前記直射センシング部から直射される光を選択的に照射した状態の皮膚を撮影する撮影モジュール；を含むことができる。
【００１７】
さらにまた、前記直射センシング部は、前記反射撮影部の一側に配置されており、前記ケーシング部の前記反射撮影部が設置されて遮蔽される一側に位置し、中央に前記反射撮影部の反射光と撮影される皮膚が露出されるように貫通した直射遮断通孔を有する直射遮断体；前記直射遮断体の一側に複数配置されており、前記直射遮断通孔の外周位置に赤外線光が発光されるように具備され、前記ケーシング部の前記反射撮影部を遮断した一側外に突出するように挿入されて、皮膚に直接的に光を照射する直射発光体；及び前記直射遮断体の一側に配置されており、前記ケーシング部の前記反射撮影部を遮断した一側外に突出するように挿入されて、皮膚に近接した状態で皮膚の状態を測定するセンサー体；を含むことができる。
【００１８】
そして、前記直射センシング部は、前記反射撮影部の一側に配置されており、前記ケーシング部の前記反射撮影部が設置されて遮蔽される一側に位置し、中央に前記反射撮影部の反射光と撮影される皮膚が露出されるように貫通した直射遮断通孔を有する直射遮断体；前記直射遮断体の一側に複数で配置されており、前記直射遮断通孔の外周に複数の相異なる波長を有する赤外線光が発光されるように具備され、前記ケーシング部の前記反射撮影部を遮断した一側外に突出するように挿入されて、皮膚に直接的に光を照射する直射発光体；及び前記直射遮断体の一側に配置されており、前記ケーシング部の前記反射撮影部を遮断した一側外に突出するように挿入されて、皮膚に近接した状態で皮膚の状態を測定するセンサー体；を含むことができる。
【００１９】
さらに、前記直射センシング部は、前記反射撮影部の一側に配置されており、前記ケーシング部の前記反射撮影部が設置されて遮蔽される一側に位置し、中央に前記反射撮影部の反射光と撮影される皮膚が露出されるように貫通した直射遮断通孔を有する直射遮断体；前記直射遮断体の一側に複数で配置されており、前記直射遮断通孔の外周に、複数の相異なる波長を有する赤外線光と可視光線がそれぞれ発光されるように具備され、前記ケーシング部の前記反射撮影部を遮断した一側外に突出するように挿入されて、皮膚に直接的に光を照射する直射発光体；及び前記直射遮断体の一側に配置されており、前記ケーシング部の前記反射撮影部を遮断した一側外に突出するように挿入されて、皮膚に近接した状態で皮膚の状態を測定するセンサー体；を含むことができる。
【００２０】
さらにまた、前記センサー体は、油分測定センサー、水分測定センサー、弾力測定センサー、温度センサー、超音波測定センサー及びｐＨ測定センサーのうち何れか一つ以上の測定センサーが具備されることができる。
【００２１】
なお、前記制御部は、前記ケーシング部の一側面に突出配置されており、使用者の押し作動により光出力と撮影を制御するように操作して制御信号を発生させる制御スイッチ；前記ケーシング部の内部に配置されており、前記制御スイッチと連結されて、操作信号により前記反射撮影部から照射される可視光線光、紫外線光及び赤外線光を選択的に照射するか否かを判断してそれぞれの間接発光制御信号を生成し、前記直射センシング部で皮膚に浸透される光を直接照射するか否かを判断して直接発光制御信号を生成し、前記反射撮影部で前記反射撮影部と前記直射センシング部により発散される光の組み合わせにより、それぞれ撮影するか否かを判断して撮影を行う撮影実施信号を生成し、前記直射センシング部で皮膚状態をセンシングする部分を選択的に測定するように測定制御信号を生成する制御体；前記ケーシング部の内部に配置されており、前記制御体と前記反射撮影部が連結されて生成された前記間接発光制御信号により、前記反射撮影部から間接光状の反射可視光線光を発光するように制御する反射可視光線制御部；前記ケーシング部の内部に配置されており、前記制御体と前記反射撮影部が連結されて生成された前記間接発光制御信号により、前記反射撮影部から間接光状の反射紫外線光を発光するように制御する反射紫外線制御部；前記ケーシング部の内部に配置されており、前記制御体と前記反射撮影部が連結されて生成された前記間接発光制御信号により、前記反射撮影部から間接光状の反射赤外線光を発光するように制御する反射赤外線制御部；前記ケーシング部の内部に配置されており、前記制御体と前記直射センシング部が連結されて生成された前記直接発光制御信号により、前記直射センシング部から、複数の相異なる波長のうち選択された波長を直接光状にして直射赤外線光を発光するように制御する直射赤外線制御部；前記ケーシング部の内部に配置されており、前記制御体と前記反射撮影部と連結されて生成された前記撮影実施信号により、皮膚を撮影するように制御し、撮影されたイメージを前記撮影分析部に転送する撮影制御部；及び前記ケーシング部の内部に配置されており、前記制御体と前記反射撮影部と連結されて生成された前記測定制御信号により、前記直射センシング部で選択された測定センサーにて皮膚状態を測定するように制御するセンサー制御部；を含むことができる。
【００２２】
また、前記撮影分析部は、前記ケーシング部の一側に配置されており、前記反射撮影部から照射される照射される間接光と前記直射センシング部から照射される直接光を、前記制御部で制御された多重光が照射される条件下で、前記反射撮影部で撮影する部分と連結されて撮影された複数のイメージを前記制御部を通して入力され、入力された複数のイメージを合成する画面合成部；
査される間接光と前記直射センシング部から照射される直接光を、前記制御部で制御された多重光が照射される条件下で、前記反射撮影部で撮影する部分と連結されて撮影された複数のイメージを前記制御部を通して入力され、入力された複数のイメージを合成する画面合成部；前記ケーシング部の一側に配置されており、前記画面合成部と連結されて合成されたイメージと、皮膚に生成される物質の種類に応じて色相毎に生成された色相基本情報とを対照し、皮膚に生成された物質を診断する色相対照部；及び前記ケーシング部の一側に配置されており、前記画面合成部と連結されて合成されたイメージと、皮膚に生成される物質の種類に応じて形態別に生成された形態基本情報とを対照し、皮膚に生成された物質を診断する形態対照部；を含むことができる。
【００２３】
それから、本発明の他の実施例に係る多重光源を用いた皮膚状態測定装置は、皮膚の測定位置に選択的に照射されるように、相異なる波長の光源を区分して配置した発光体；前記光源から光が照射された状態で、前記測定位置を撮影する撮影モジュール；前記発光体の相異なる光源から照射される光が、前記撮影モジュールに直接照射されないように遮蔽するケーシング本体；前記ケーシング本体の内側に配置され、前記発光体の照射及び前記撮影モジュールの動作を制御する制御部；及び前記測定位置の皮膚表面から皮膚の内側の既設定された深さまで撮影された複数のイメージを合成し、深さ軸に合成されたイメージを生成する撮影分析部；を含み、前記撮影分析部は、前記合成されたイメージを分析し、前記測定位置でほくろの存在可否、存在するほくろの大きさ、形態、色相などの情報を取得し、これに基づき、前記ほくろの深さ又は前記ほくろが母斑を構成するメラニンの変形であるか否かを分析することができる。
【００２４】
前記目的を達成するための具体的な事項は、添付図面と共に詳細に後述されている実施例を参照すれば、明確になるだろう。
【００２５】
ところが、本発明は以下で開示される実施例に限定されず、相異なる多様な形態で構成でき、本実施例は、本発明の開示を完全にし、本発明が属する技術分野において通常の知識を有する者に発明の範疇を完全に知らせるために提供されるものである。
【発明の効果】
【００２６】
前述した本発明の課題解決手段の一つによると、本発明の実施例に係る多重光源を用いた皮膚状態測定装置は、皮膚に浸透される深さの異なる可視光線、紫外線及び赤外線の多重光源を照射して、皮膚内に沈着されている物質の形態、大きさと色相などの情報を撮影したイメージを分析し、皮膚の状態と皮膚病の症状を予め把握するために、視覚的に確認しながら測定することによって、測定の正確性を向上させて、皮膚内に沈着された深さと形態に応じて皮膚診断に基礎資料を提供し、皮膚測定の正確性を向上させる効果を提供する。
【００２７】
また、本発明の実施例に係る多重光源を用いた皮膚状態測定装置は、可視光線、紫外線及び赤外線の多重光源を、反射による間接光状に選択的に照射し、皮膚の深くまで浸透する赤外線光は、皮膚に近接した状態で直射光状に相異なる波長を選択的に照射し、皮膚の表面と内部の深くに位置している測定対象物を皮膚の深さ別に相異なる波長にてイメージを撮影することにより、測定対象物の大きさ、色相及び形態を皮膚の表面から内部の深くまで正確に測定できる効果を提供する。
【００２８】
そして、本発明の実施例に係る多重光源を用いた皮膚状態測定装置は、可視光線、紫外線及び赤外線の多重光源で皮膚の表面と一定深さに位置する測定対象物を撮影し、相異なる波長の複数の赤外線光を選択的に直射で照射して皮膚の深さ別に撮影することができるため、フィルター無しで光を変換しながら撮影を行うことにより、構造が簡単で使用利便性が向上される効果を提供する。
【００２９】
さらに、本発明の実施例に係る多重光源を用いた皮膚状態測定装置は、多重光を用いて皮膚の表面から深さ別にそれぞれ撮影されたイメージを合成し、測定対象物の色相、大きさと形態をイメージとして表現することによって、皮膚の状態と疾病による見本と対照して診断できて、使用利便性を向上させる効果を提供する。
【図面の簡単な説明】
【００３０】
【図１】本発明の一実施例に係る多重光源を用いた皮膚状態測定装置を示す斜視図である。
【図２】図１における多重光源を用いた皮膚状態測定装置を示す一部省略分解斜視図である。
【図３】図１における多重光源を用いた皮膚状態測定装置の主要機能の作動関係を示す作動関係図である。
【図４】図１における多重光源を用いた皮膚状態測定装置の主要部分の作動状態を示す作動状態図である。
【図５】本発明の他の実施例に係る多重光源を用いた皮膚状態測定装置の主要部分の作動状態を示す作動状態図である。
【図６】本発明のさらに他の実施例に係る多重光源を用いた皮膚状態測定装置の主要部分の作動状態を示す作動状態図である。
【図７】本発明の実施例に係る多重光源を用いた皮膚状態測定装置において、皮膚症状別に多重光源を用いてそれぞれのイメージを撮影した状態を示す写真である。
【図８】本発明の実施例に係る多重光源を用いた皮膚状態測定装置において、皮膚分析のために撮影された複数のイメージを示す写真である。
【図９】図８のイメージを用いて皮膚を分析するイメージ分析方法によって合成されたイメージを示す分析状態写真である。
【図１０】図８のイメージを用いて症状別にイメージを合成して分析する例を示す分析状態写真である。
【図１１】本発明の実施例に係る多重光源を用いた皮膚状態測定装置１００において、皮膚に生成されたでほくろを多重光源で撮影したイメージを示す写真である。
【図１２】図１１で撮影したイメージを皮膚の深さ別に配列して合成することにより、ほくろの大きさと形態を立体的に表す過程を示す説明図である。
【符号の説明】
【００３１】
１００：測定装置            １１０：ケーシング部
１１１：ケーシング本体      １１２：ケーシング空間
１１３：遮断体            １１４：遮断空間
１１５：遮断開放孔          １１６：直射発光孔
１１７：センサー設置孔      １２０：反射撮影部
１２１：発光遮断体        １２２：反射発光体
１２３：反射本体            １２４：反射空間
１２５：反射面              １２６：反射通孔
１２７：撮影モジュール      １２８：撮影ミラー
１２９：拡散板              １３０：直射センシング部
１３１：直射遮断体        １３２：直射遮断通孔
１３３：直射発光体          １３４：センサー体
１４０：制御部              １４１：制御スイッチ
１４２：制御体              １４３：反射可視光線制御部
１４４：反射紫外線制御部    １４５：反射赤外線制御部
１４６：直射赤外線制御部    １４７：撮影制御部
１４８：センサー制御部      １５０：撮影分析部
１５１：画面合成部          １５２：色相対照部
１５３：形態対照部
【発明を実施するための形態】
【００３２】
本発明は、多様な変更を加えることができ、様々な実施例を有することができるため、特定の実施例を図面に例示し、これを詳細な説明により詳細に説明する。しかし、これは本発明を特定の実施形態に対して限定するものではなく、本発明の思想及び技術範囲に含まれるすべての変更、均等物乃至代替物を含むものと理解しなければならない。
【００３３】
本発明の説明において、関連する公知技術についての具体的な説明が本発明の要旨を曖昧にさせると判断される場合は、その詳細な説明を省略する。また、本明細書の説明過程において使われる数字（例えば、第１、第２など）は、一つの構成要素を他の構成要素と区別するための識別記号に過ぎない。
【００３４】
また、本明細書において、ある構成要素が他の構成要素と「連結される」または「接続される」と言及された場合は、前記ある構成要素が他の構成要素と直接連結されるまたは直接接続される場合もあれば、特別に反対される記載が存在しない以上、両構成要素の間にさらに他の構成要素を介在して連結されるまたは接続される場合もあると理解すべきである。
【００３５】
以下の説明で使用される構成要素に対する接尾辞「モジュール」及び「部」は、明細書の作成の容易性のみが考慮されて付与されるか混用されるものであって、それ自体で互いに区別される意味または役割を有することはない。また、本発明を明確に説明するために、説明と関係のない部分は図面から省略し、図面において、構成要素の幅、長さ、厚さなどは、便宜のために誇張されて表現されることもある。明細書の全体に亘って、同一な参照符号は同一な構成要素を表す。
【００３６】
以下、添付された図面を参照して、本発明を実施するための具体的な内容を説明する。
【００３７】
図１は、本発明の一実施例に係る多重光源を用いた皮膚状態測定装置を示す斜視図であり、図２は、図１における多重光源を用いた皮膚状態測定装置を示す一部省略分解斜視図であり、図３は、図１における多重光源を用いた皮膚状態測定装置の主要機能の作動関係を示す作動関係図であり、図４は、図１における多重光源を用いた皮膚状態測定装置の主要部分の作動状態を示す作動状態図である。
【００３８】
図１乃至図４を参照すると、本発明の実施例に係る多重光源を用いた皮膚状態測定装置１００は、皮膚の毛根、色相沈着、皮脂、ブラックヘッドなどの皮膚内における老廃物の除去と母斑、腫瘍、白斑症、黒色腫及び傷などの皮膚疾病の診断のために、皮膚の状態と各種症状に応じる形状を測定する装置である。
【００３９】
特に、黒色腫は腫瘍の一種であって、良性の場合には健康に脅威を与えず、美容的に除去すれば済むが、悪性の場合には皮膚癌として診断されて生命に脅威を与えることがある。
【００４０】
かかる黒色腫の良性と悪性の区分は、非対称性（Ａｓｙｍｍｅｔｒｙ）、不規則な境界（Ｂｏｒｄｅｒ  ｉｒｒｅｑｕｌａｒｉｔｙ）、色調の多様性（Ｃｏｌｏｒ  ｖａｒｅｇａｔｉｏｎ）、直径の大きさ（Ｄｉａｍｅｔｅｒ）、色調と大きさの変化（Ｅｖｏｌｕｔｉｏｎ）で測定するＡＢＣＤＥ観察法により観察している。
【００４１】
Ａｓｙｍｍｅｔｒｙ"形が非対称的なのか"：黒色腫は左右非対称的な形をしています。左右の形が違うと、黒色腫が疑われる余地がある。
【００４２】
Ｂｏｒｄｅｒ  ｉｒｒｅｇｕｌａｒｉｔｙ"境界が不規則的なのか"：ほくろ（メラニン細胞性母斑）は周りが円のように柔らかい曲線であるが、黒色腫は周りがでこぼこでギザギザしている。
【００４３】
Ｃｏｌｏｒ  ｖａｒｉｅｇａｔｉｏｎ"色が多様なのか"：一つの病変で茶色、黒色などの二つ以上の多様な色と陰影が見られると、黒色腫が疑われる余地がある。
【００４４】
Ｄｉａｍｅｔｅｒ"直径が０．６ｃｍ以上であるか"：ほくろの大きさはほとんど０．６ｃｍを超えない。最近できたほくろが０．６ｃｍを超えると、黒色腫が疑われる可能性がある。
【００４５】
Ｅｌｅｖａｔｉｏｎ  ｏｒ  Ｅｖｏｌｕｔｉｏｎ"盛り上がったり色調や大きさが変わったか"：斑点の厚さが厚くなって盛り上がったり、色や大きさが急に変わったり大きくなったりなどの変化が表れると黒色腫である可能性がある。
【００４６】
[表1]
2020513966.tif 000003
【００４７】
また、皮膚の色素の一種であるメラニン色素は、紫外線から皮膚を保護するもので、過度に分泌されると毛根の色が濃くなったり、色素沈着と皮脂などの症状が発生して皮膚状態が悪化することから、かかる症状の広さと深さを測定して皮膚管理や皮膚治療に資料として使用することができる。
【００４８】
かかるメラニン色素は、皮膚に深く浸透される赤外線光源を照射した状態で測定を行うと、正確な形態と色相に関する情報を明確に判断しにくいため、可視光線を照射した画像を使用することになる。
【００４９】
ところが、可視光線光を照射した画像は、皮膚の内部に深く浸透できず、表面だけを撮影するため、色相と形態は明確に判断できるが、皮膚がどの程度の深さで撮影できたかは分かりにくかった。
【００５０】
したがって、皮膚に浸透される赤外線光で撮影された画像と可視光線で撮影された画像を合成することにより、メラニン色素の色相、形態及び深さに関する測定値を明確に規定できることから、多重光源を用いた皮膚装置が使用される。
【００５１】
本発明の実施例に係る多重光源を用いた皮膚状態測定装置１００は、上述した表１のように、皮膚内にほくろ状で具備されている黒色腫が皮膚の内部に深く位置しており、皮膚の表面の形態と色相だけでは区分しにくいため、可視光線と紫外線光を用いて表面の形態と色相を撮影し、赤外線を用いて皮膚に浸透した状態の画像を各深さ別に撮影して、一つのイメージに合成した後に上述した形態と色相を対照して測定する装置である。
【００５２】
なお、多重光源を用いた皮膚状態測定装置１００は、赤外線光では皮膚表面の形態と色相が判断できず、色素沈着のようなメラニン色素による皮膚損傷を区分しにくいため、皮膚表面は可視光線光を用いて撮影し、赤外線を用いては深さ別に撮影し、その撮影したイメージを合成した後に測定する装置である。
【００５３】
かかる多重光源を用いた皮膚状態測定装置１００は、皮膚を測定するために皮膚に接触するケーシング部１１０、反射撮影部１２０、直射センシング部１３０、制御部１４０及び撮影分析部１５０を含む。
【００５４】
ケーシング部１１０は、皮膚の測定位置に接触した状態で、相異なる波長の光が皮膚の内部の一側に選択的に照射されるように、光が発光される位置をそれぞれ遮蔽するように具備される。
【００５５】
かかるケーシング部１１０は、皮膚と接触しながら各種部品が内蔵されたケーシング本体１１１及び遮断体１１３を含む。
【００５６】
ケーシング本体１１１は、皮膚測定時に皮膚と接触して使用者の操作により光を照射するように具備されており、内部の一側が開放され、反射撮影部１２０、直射センシング部１３０及び制御部１４０が設置される空間状のケーシング空間１１２を有するように具備される。
【００５７】
すなわち、ケーシング本体１１１は、内部に反射撮影部１２０、直射センシング部１３０及び制御部１４０が設置され、使用者が把持した状態で皮膚と接触し、制御部１４０を操作すると反射撮影部１２０と直射センシング部１３０が作動するように具備される。
【００５８】
遮断体１１３は、ケーシング本体１１１の一側に配置されており、内部に他側に反射撮影部１２０が設置された状態で、一側中央に一部開放される遮断開閉孔１１５を除いた残り位置に反射撮影部１２０で照射される光を遮断する遮断空間１１４を有するように具備される。
【００５９】
遮断体１１３は、一側に一部が開放される遮断開放孔１１５が設置された空間状で形成され、開放された他側に反射撮影部１２０にて閉鎖するように具備され、制御部１４０の制御により撮影を行うために、遮断開放孔１１５方向に光が照射されるように残り部分の光を遮断する形態で具備される。
【００６０】
遮断体１１３の一側に、複数位置に直射センシング部１３０の相異なる波長の赤外線光が照射される部分が挿入される直射発光孔１１６と、直射センシング部１３０の皮膚をセンシングする部分が挿入されるセンサー設置孔１１７が形成される。遮断体１１３の一側外部に設置される直射センシング部１３０を挿入支持するために一側面に直射光が照射される位置に直射発光孔１１６が形成され、生体情報をセンシングする位置にはセンサー設置孔１１７がそれぞれ形成される。
【００６１】
反射撮影部１２０は、ケーシング部１１０の内部に配置されており、皮膚の一側方向に可視光線光、紫外線光及び赤外線光を選択的に反射により間接光状で照射しながら、光が照射される皮膚を撮影するように具備される。
【００６２】
かかる反射撮影部１２０は、遮断体１１３の他側に配置されて光を遮断する発光遮断体１２１、反射発光体１２２、反射本体１２３及び撮影モジュール１２７を含む。
【００６３】
発光遮断体１２１は、遮断体１１３の内部に配置されており、遮断体１１３の開放された他側を閉鎖するように設置され、光が遮断空間１１４で遮断されて遮断開放孔１１５を通して外部へ照射されるために開放された他側を遮断する。
【００６４】
反射発光体１２２は、前記発光遮断体１２１から一側に既設定された距離で離れて配置されており、中央から既設定された距離で離れた外周の複数位置に、可視光線光、紫外線光及び赤外線光が他側に向かって照射されるようにそれぞれ具備された状態で前記制御部で制御されるように連結され、制御信号により可視光線光、紫外線光及び赤外線光を選択的に他側方向に照射するように具備される。反射発光体１２２は、遮断開放孔１１５の外縁に複数配置されて、遮断体１１３の内側の一側方向から反射本体１２３の方向に光を照射するように具備される。
【００６５】
反射発光体１２２は、皮膚で測定される対象物の種類と形態及び色相に応じて最適に撮影される光を照射するために、可視光線光、紫外線光及び赤外線光のうち一つを選択して撮影を行い、別の光が必要な場合には、上述した種類の光のうち一つを選択して撮影を行うことによって、多重光源を用いて撮影を行う環境を作り上げて、測定対象物の正確な色相と大きさ、形態のイメージを獲得することができる。
【００６６】
すなわち、可視光線は通常的に人が見られる光線帯域であって、測定対象物の色相と大きさを表面的に把握することができ、紫外線光を照射するとメラニンなどの色相沈着の可否を把握することができ、赤外線光は皮膚の内部に浸透し、波長により深さを把握することができる。このように多重光源を用いて撮影を行うと、測定対象物の色相及び大きさを正確に測定できるように撮影することが可能である。
【００６７】
反射本体１２３は、発光遮断体１２１と反射発光体１２２との間に配置されており、反射発光体１２２の他側を包みながらラウンド状で具備され、一側が開放されて内部に前記反射発光体１２２が位置した反射空間１２４を有し、前記反射空間１２４の内側には、前記反射発光体１２２の作動により他側に照射される光が一側方向に屈折されるように反射する反射面１２５が形成され、中央に貫通した通孔状の反射通孔１２６が形成される。
【００６８】
すなわち、反射本体１２３は、反射発光体１２２から他側に照射される光が一側に屈折されるように反射する構造で具備され、皮膚に直接照射せずに反射による間接光状で照射して、散乱や光のにじみ現象により光ノイズが発生することを防止できる。
【００６９】
皮膚は油分と水分を持っている有機物であって、直接的に光を照射しながら撮影すると、カメラ内で光の反射と散乱が発生するフレア（Ｆｌａｒｅ）現象が発生し、撮影されたイメージに二重の像が結ばれるゴースト現象や、霧のようにぼやけてノイズが発生するフォグ現象のため、正確なイメージを撮影することが難しい。
【００７０】
したがって、反射発光体１２２から発光される光を一次で反射本体１２３で反射し、間接光状で皮膚に照射することにより、上述したゴースト現象とフォグ現象を最小化しながら撮影が可能な光を提供することができる。
【００７１】
さらに、反射本体１２３は、ラウンド状で具備され、反射発光体１２２から照射される光を反射するものであって、出力の低い低出力の光源を用いても反射により広い範囲に拡散させられることから、反射発光体１２２の出力が低下しても拡散により使用可能になる効果を発揮する。
【００７２】
撮影モジュール１２７は、発光遮断体１２１の一側に固定配置されており、反射通孔１２６に挿入され、反射発光体１２２から照射されて反射本体１２３に反射される光が照射された皮膚を撮影するように具備される。
【００７３】
かかる撮影モジュール１２７は、反射本体１２３で反射された間接光と直射センシング部１３０から照射される直接光を選択的に照射しながら皮膚を撮影し、測定対象物の大きさと形態及び色相を特定するイメージを獲得することができる。
【００７４】
直射センシング部１３０は、ケーシング部１１０の内部に配置されており、反射撮影部１２０  に位置し反射撮影部１２０から照射される光が通過しながら、複数位置に設定された相異なる波長の赤外線光を選択的に照射しながら皮膚状態をセンシングするように具備される。
【００７５】
かかる直射センシング部１３０は、遮断体１１３の内部一側から他側方向に光の照射を遮断する直射遮断体１３１、直射発光体１３３及びセンサー体１３４を含む。
【００７６】
直射遮断体１３１は、反射発光体１２２の一側に配置されており、遮断体１１３の内部の一側端に位置し、中央に遮断開放孔１１５と蓮通される直射遮断通孔１３２が形成されるように具備される。直射遮断体１３１は、直射発光体１３３に電力を供給しながら支持できるように設置されたもので、直射発光体１３３から照射される光が反射発光体１２２の方向である他側に流入されることを防止するために、遮蔽させるように設置される。
【００７７】
直射発光体１３３は、直射遮断体１３１の一側に複数配置されており、直射遮断通孔１３２の外周に複数で相異なる波長を有する赤外線光が発光されるように具備され、反射本体１２３の一側における貫通した直射発光孔に挿入されて、一側方向に突出するように設置され、他側が遮断されて一側には皮膚に直接的に光が照射されるように具備される。
【００７８】
直射発光体１３３は、光を皮膚内に直接照射し、撮影モジュール１２７が照射される赤外線光にて設定深さに応じて照射対象物を撮影するように設置される。
【００７９】
かかる直射発光体１３３において、皮膚に直接照射される光は、皮膚の状態と測定対象物の種類に応じて多様な実施例が具現できて、直射発光体１３３の第１実施例では、単一波長の赤外線光を具備し、直射で赤外線光を照射することができる。かつ、直射発光体１３３の第２実施例では、複数の位置で相異なる波長の赤外線光が照射されるように複数具備し、制御部１４０の制御操作により選択された波長の赤外線光を照射することができる。そして、直射発光体１３３の第３実施例では、複数位置で相異なる波長を有する赤外線光と可視光線がそれぞれ発光されるように具備し、制御部１４０の制御操作により相異なる波長を有する赤外線光と可視光線のうち選択された波長の光を照射することができる。
【００８０】
ここで、直射発光体１３３の各実施例は、光の種類や数量が異なるだけであって、設置位置と制御による作動関係が同一なことから、下記では第２実施例に該当する、相異なる波長を有する複数の赤外線光が具備された直射発光体１３３に対してのみ説明する。これは説明の便宜のためのものであり、第１及び第３実施例に係る直射発光体１３３でも下記のような説明が適用されることは当業者にとって自明である。
【００８１】
第２実施例に係る直射発光体１３３（以下、直射発光体という）から照射される赤外線は、皮膚に照射された時に他の光と比較して深くまで浸透できる光であって、波長に応じてその深さを調節することができる。よって、相異なる波長の赤外線光が照射されるように複数の直射発光体１３３を制御部１４０と連結設置し、制御部１４０の制御信号により使用者が希望する深さを撮影する波長を有する直射発光体１３３を選択し、照射しながら撮影することによって、測定対象物の深さに応じて撮影を行い測定することができる。
【００８２】
センサー体１３４は、直射遮断体１３１の一側に配置されており、遮断体１１３の一側面に通孔状で形成されたセンサー設置孔１１７に挿入され、一側方向に突出するように設けられ、皮膚に近接した状態で皮膚の状態を測定するように具備される。
【００８３】
かかるセンサー体１３４は、油分測定センサー、水分測定センサー、温度センサー、超音波測定センサー、弾力測定センサー及びｐＨ測定センサーのうち少なくとも一つ以上の測定センサーが具備される。ここで、センサー体１３４を油分測定センサー、水分測定センサー、温度センサー、超音波測定センサー、弾力測定センサー及びｐＨ測定センサーのうち一つと定義したのは、皮膚状態を測定する通常的なセンサーを並べ立てたことであって、説明の便宜のために例を挙げたものなので、皮膚状態を測定できる多様なセンサーが代替して設置できることは当業者にとって自明である。
【００８４】
制御部１４０は、ケーシング本体１１１の内部に配置されており、反射撮影部１２０を制御し、可視光線、紫外線及び赤外線のうち選択された光を皮膚に間接光状で照射し、皮膚の状態に応じて、皮膚に浸透される赤外線の波長を有する発光部分を直射センシング部１３０で選択し、駆動を制御しながら撮影を行って転送するように具備される。
【００８５】
制御部１４０は、ケーシング本体１１１の一側面方向に突出して使用者により操作される制御スイッチ１４１、制御体１４２、反射可視光線制御部１４３、反射紫外線制御部１４４、反射赤外線制御部１４５、直射赤外線制御部１４６、撮影制御部１４７及びセンサー制御部１４８を含む。
【００８６】
制御スイッチ１４１は、ケーシング本体１１１の一側面に突出配置されており、使用者が押し動作により光出力と撮影を制御するように操作して、制御信号を発生するように具備される。
【００８７】
制御体１４２は、ケーシング本体１１１の内部に配置されており、制御スイッチ１４１と連結されて、操作信号により反射発光体１２２から照射される可視光線光、紫外線光及び赤外線光を選択的に照射するか否かを判断し、それぞれの間接発光制御信号を生成する。
【００８８】
かかる間接発光制御信号は、使用者により把握された測定対象物の種類と形態に応じて色相と形態を撮影できる可視光線光、紫外線光及び赤外線光のうち一つの光を選択するか、それぞれ順次に照射するために反射発光体１２２を制御する信号である。
【００８９】
かつ、制御体１４２は、制御スイッチ１４１と連結されて、操作信号により直射発光体１３３から皮膚に直接照射されるように、相異なる波長を有する赤外線光のうち一つの波長を選択して照射するか否かを判断し、波長による直接発光制御信号を生成する。
【００９０】
かかる直接発光制御信号は、皮膚内に位置した測定対象物の深さを測定するために、浸透される深さ別に相異なる波長を有する赤外線光のうち一つを選択し、直射発光体１３３に照射するために制御する信号である。
【００９１】
そして、制御体１４２は、制御スイッチ１４１と連結され、操作信号により撮影モジュール１２７で反射発光体１２２と直射発光体１３３により発散される光の組み合わせによって、それぞれ撮影可否を判断して撮影を行う撮影実施信号を生成する。
【００９２】
上述した間接発光制御信号と直接発光制御信号により光が照射される条件で撮影を行い、測定対象物の色相と大きさ及び形態に応じるイメージを生成する。
【００９３】
さらに、制御体１４２は、制御スイッチ１４１と連結され、照射信号によりセンサー体１３４で皮膚状態をセンシングする部分を選択的に測定するように測定制御信号を生成する。
【００９４】
反射可視光線制御部１４３は、ケーシング本体１１１の内部に配置されており、制御体１４２と反射発光体１２２が連結されて生成された間接発光制御信号により、反射発光体１２２から照射された可視光線が反射本体１２３に反射されて、間接光状の反射可視光線を照射するように制御する。
【００９５】
反射紫外線制御部１４４は、ケーシング本体１１１の内部に配置されており、制御体１４２と反射発光体１２２が連結されて生成された間接発光制御信号により、反射発光体１２２から照射された紫外線光が反射本体１２３に反射されて、間接光状の反射紫外線光を照射するように制御する。
【００９６】
反射赤外線制御部１４５は、ケーシング本体１１１の内部に配置されており、制御体１４２と反射発光体１２２が連結されて生成された間接発光制御信号により、反射発光体１２２から照射された可視光線光が反射本体１２３に反射されて、間接光状の反射可視光線光を照射するように制御する。
【００９７】
直射赤外線制御部１４６は、ケーシング本体１１１の内部に配置されており、制御体１４２と直射発光体１３３が連結されて生成された直接発光制御信号により、複数の相異なる波長のうち選択された波長を直接光状にして直射発光体１３３から直射赤外線光を照射するように制御する。
【００９８】
撮影制御部１４７は、系寝具本体１１１の内部に配置されており、制御体１４２と撮影モジュール１２７が連結されて生成された撮影実施信号により皮膚を撮影するように制御し、撮影されたイメージを撮影分析部１５０に転送するように具備される。
【００９９】
センサー制御部１４８は、ケーシング本体１１１の内部に配置されており、制御体１４２とセンサー体１３４が連結されて生成された測定制御信号によりセンサー体１３４で選択された測定センサーにて皮膚状態を測定するように制御する。
【０１００】
撮影分析部１５０は、ケーシング本体１１１の一側に配置されており、制御部１４０と電気的に連結され、制御部１４０で撮影したイメージを皮膚状態に合わせて合成し、色相と形態を対照して分析するように具備される。
【０１０１】
撮影分析部１５０は、撮影モジュール１２７で撮影したイメージを撮影制御部１４７を通して転送されて合成する画面合成部１５１、色相対照部１５２及び形態対照部１５３を含む。
【０１０２】
画面合成部１５１は、ケーシング本体１１１の一側に配置されており、反射本体１２３に反射される反射撮影部１２０から照射された間接光と、直射センシング部１３０から照射される直接光を、反射可視光線制御部１４３反射紫外線制御部１４４、反射赤外線制御部１４５及び直射赤外線制御部１４６で制御された多重光が照射される条件下で、撮影モジュール１２７と連結されて撮影された複数のイメージを撮影制御部１４７を通して入力され、入力された情報を合成するように具備される。
【０１０３】
色相対照部１５２は、ケーシング本体１１１の一側に配置されており、画面合成部１５１と連結されて合成されたイメージと、皮膚に生成される物質の種類に応じて色相毎に生成された色相基本情報を対照し、皮膚に生成された物質を診断するように具備される。
【０１０４】
ここで、色相基本情報は、測定対象物の種類に応じて、それぞれの色相に関する情報として提供される。
【０１０５】
例えは、黒色腫の悪性と良性を区分するＡＢＣＥＤ観察法において、Ｃに該当する多様な色相が存在するかを撮影により合成されたイメージを通して対照して測定することができる。
【０１０６】
形態対照部１５３は、ケーシング本体１１１の一側に配置されており、画面合成部１５１と連結されて合成されたイメージと、皮膚に生成される物質の種類に応じて形態毎に生成された形態基本情報を対照し、皮膚に生成された物質を診断するように具備される。
【０１０７】
ここで、形態基本情報は、測定対象物の種類に応じて、大きさと形態に関する情報として提供される。
【０１０８】
例えば、黒色腫の悪性と良性を区分するＡＢＣＤＥ観察法において、Ａに該当する非対称的な形態、Ｂに該当する不明瞭な境界の形態、Ｄに該当する直径の大きさをそれぞれイメージ化して形態基本情報として提供することにより、被験者がイメージ形態を相互対照して容易に判断できる。
【０１０９】
図５は、本発明の他の実施例に係る多重光源を用いた皮膚状態測定装置における主要部分の作動状態を示す作動状態図である。
【０１１０】
図５を参照すると、本発明の他の実施例に係る多重光源を用いた皮膚状態測定装置１００は、ケーシング部１１０、反射撮影部１２０、直射センシング部１３０、制御部１４０及び撮影分析部１５０を含む。ここで、ケーシング部１１０、直射センシング部１３０、制御部１４０及び撮影分析部１５０の構成と反射撮影部の一部構成は、図１乃至図４で示した多重光源を用いた皮膚状態測定装置１００と同一なことから、差異を有する反射撮影部１２０の一部構成のみを説明すると、下記の通りである。
【０１１１】
反射撮影部１２０は、発光遮断体１２１、反射発光体１２２、反射本体１２３、撮影ミラー１２８及び撮影モジュール１２７を含む。ここで、発光遮断体１２１、反射発光体１２２及び反射本体１２３は、図１乃至図４で示した多重光源を用いた皮膚状態測定装置１００と同一なことから、差異を有する撮影ミラー１２８と撮影モジュール１２７に対してのみ説明する。
【０１１２】
撮影ミラー１２８は、発光遮断体１２１と反射本体１２３との間に配置されており、反射通孔１２６から既設定された距離で離れた一側に位置し、中央から一側方向に像を屈折させるミラー状で設けられ、撮影される画像を一側に屈折させるように具備される。
【０１１３】
撮影モジュール１２７は、ケーシング本体１１１の内部に配置されており、発光遮断体１２１の一側に、遮断体１１３の内部に形成された遮断空間１１４の内部の一側面における中央方向を撮影する位置に、撮影ミラー１２８で屈折された画像を撮影するように具備され、反射本体１２３に反射される光と直射発光体１３３から直射される光を選択的に照射した状態の皮膚を撮影するように具備される。
【０１１４】
すなわち、撮影モジュール１２７は、撮影ミラー１２８を通して屈折される遮断開放孔１１５を通した皮膚を撮影することによって、屈折によりフレア（Ｆｌａｒｅ）現象を最小化できる。
【０１１５】
図６は、本発明のさらに他の実施例に係る多重光源を用いた皮膚状態測定装置における主要部分の作動状態を示す作動状態図である。
【０１１６】
図６を参照すると、本発明のさらに他の実施例に係る多重光源を用いた皮膚状態測定装置１００は、ケーシング部１１０、反射撮影部１２０、直射センシング部１３０、制御部１４０及び撮影分析部１５０を含む。ここで、ケーシング部１１０、直射センシング部１３０、制御部１４０及び撮影分析部１５０の構成は、図１乃至図４で示した多重光源を用いた皮膚状態測定装置１００と同一なことから、差異を有する反射撮影部１２０のみを説明すると、下記の通りである。
【０１１７】
反射撮影部１２０は、発光遮断体１２１、反射発光体１２２、拡散板１２９及び撮影モジュール１２７を含む。
【０１１８】
発光遮断体１２１は、遮断体１１３の内部に配置されており、遮断体１１３の開放された他側を閉鎖するように設置され、光が遮断空間１１４で遮断されて遮断開放孔１１５を通して外部に照射されるように具備される。
【０１１９】
反射発光体１２２は、前記発光遮断体１２１から一側に既設定された距離で離れて配置されており、中央から既設定された距離で離れた外周の複数位置に、可視光線光、紫外線光及び赤外線光が他側に向かって照射されるようにそれぞれ具備された状態で前記制御部１４０で制御できるように連結され、制御信号により可視光線光、紫外線光及び赤外線光を選択的に他側方向に照射するように具備される。反射発光体１２２は、発光遮断体１２１と遮断体１１３との間の一側面に配置され、遮断開放孔１１５で開放された皮膚方向に選択された光が照射されるように設置される。
【０１２０】
拡散板１２９は、反射発光体１２２の一側に配置されており、反射発光体１２２と皮膚との間に位置し、前記反射発光体１２２から発光される光の照射範囲を拡大するように拡散し、間接光状で皮膚に照射されるように設置される。拡散板１２９は、反射発光体１２２と遮断開放孔１１５との間に位置し、遮断体１１３の内部に固定設置され、反射発光体１２２から照射される光を拡散により分散させて間接光状に変換することにより、散乱や光のにじみ現象により光ノイズが発生することを防止できる。
【０１２１】
撮影モジュールは１２７は、発光遮断体１２１の一側中央に固定配置されており、反射発光体１２２の他側に既設定された距離で離れて、拡散板１２９を通して拡散された光と直射センシング部１３０から直射される光を選択的に照射した状態の皮膚を撮影するように具備される。
【０１２２】
図７は、本発明の実施例に係る多重光源を用いた皮膚状態測定装置において、皮膚症状別に多重光源を用いてそれぞれのイメージを撮影した状態を示す写真である。
【０１２３】
図７を参照すると、本発明の実施例に係る多重光源を用いた皮膚状態測定装置１００を作動して、症状別に測定対象物を撮影したイメージを並べ立てたものである。
【０１２４】
上述した写真のうち、（1）は制御部１４０の制御により反射発光体１２２から反射可視光線光を照射して撮影したイメージであり、（2）は制御部１４０の制御により反射発光体１２２から反射赤外線光を照射して撮影したイメージであり、（3）は制御部１４０の制御により反射発光体１２２から反射紫外線光を照射して撮影したイメージであり、（4）は制御部１４０の制御により直射発光体１３３から直射赤外線光を照射して撮影したイメージである。
【０１２５】
かかるイメージは図７に示すように、例示的に色素沈着、皮脂、毛根、毛細血管、表皮母斑、及び真皮母斑を測定対象物に想定して、本発明の実施例に係る多重光源を用いた皮膚状態測定装置１００を作動して多重光源で撮影したイメージを提示する。
【０１２６】
図８は、本発明の実施例に係る多重光源を用いた皮膚状態測定装置において、皮膚分析のために撮影された複数のイメージを示す写真であり、図９は、図８のイメージを用いて皮膚を分析するイメージ分析方法により合成されたイメージを示す分析状態写真であり、図１０は、図８のイメージを用いて症状別にイメージを合成して分析する例を示す分析状態写真である。
【０１２７】
図8を参照すると、まず本発明の実施例に係る多重光源を用いた状態測定装置１００を作動して、（1）反射可視光線イメージ、（2）反射赤外線イメージ、（3）反射紫外線イメージ、（4）直射赤外線イメージを撮影モジュールで撮影し、そのイメージを撮影分析部１５０の画面合成部１５１に送出する。
【０１２８】
図９を参照すると、毛根や皮膚トラブルを測定するために皮膚を分析する方法により、（1）反射可視光線イメージ、（2）反射赤外線イメージ、（3）反射紫外線イメージに表れた皮膚の表皮状態と、（4）皮膚に浸透される赤外線を直射して撮影した直射赤外線イメージに表れた真皮状態をそれぞれ合成する。
【０１２９】
かかる合成時に、皮膚トラブルは皮膚の表皮のみに薄い深さで形成されており、毛根は皮膚の真皮内の毛包から毛が表皮に突出しているため、皮膚トラブルを撮影すると、（1）、（2）、（3）が撮影され、（4）は撮影されず、毛根の場合には、（1）、（2）、（3）、（4）がすべて撮影できるが、（4）はその形状や形態に差異がある。
【０１３０】
したがって、二つの画像を合成して重なる形状で提示された毛根を表して、皮膚トラブルと区分することにより、正確な情報を提供できる。
【０１３１】
図１０を参照すると、ａ）は多重光源を用いた皮膚状態測定装置１００にて色素沈着に関する情報を測定することであって、（2）反射赤外線イメージで観測されなかったため、（2）反射赤外線イメージと（3）反射紫外線イメージとを合成して測定を行う。
【０１３２】
ｂ）は多重光源を用いた皮膚状態測定装置１００にてしわに関する情報を測定することであって、（4）直射赤外線イメージで測定されなかったため、（1）反射可視光線イメージと（4）直射赤外線イメージとを合成して測定を行う。
【０１３３】
ｃ）は多重光源を用いた皮膚状態測定装置１００にて血管に関する情報を測定することであって、（4）直射赤外線イメージのみで測定できたため、（1）反射可視光線イメージと（4）直射赤外線イメージとを合成して測定を行う。
【０１３４】
図１１は、本発明の実施例に係る多重光源を用いた皮膚状態測定装置１００において、皮膚に生成されたほくろを多重光源で撮影したイメージを示した写真であり、図１２は、図１１で撮影したイメージを皮膚の深さ別に配列し、合成によるほくろの大きさと形態を立体的に表した過程を示す説明図である。
【０１３５】
図１１を参照すると、反射可視光線光、反射紫外線光及び反射赤外線光をそれぞれ照射する反射発光体１２２から選択的に照射して選択された波長にて、光源１の表皮から真皮までを相異なる深さ別にそれぞれ撮影を行う。
【０１３６】
また、直射発光体１３３から照射される直射赤外線光のうち相異なる複数の波長にて、光源２の表皮から真皮までを相異なる深さ別にそれぞれ撮影を行う。
【０１３７】
このように撮影されたイメージを相互比較してみると、光源１は真皮で明確にほくろの形態と色相を表しており、光源２は表皮では明確に区分されないが、真皮内の深い位置ではほくろの形態と大きさを明確に表している。
【０１３８】
図１２を参照すると、図１１で深さ別に撮影されたイメージを、皮膚の深さに応じる構造を参考しながら、表皮から真皮まで深さ別にそれぞれ異なる形態と色相を表しているイメージを選択し、合成により立体的に測定して、色相対照部１５２及び形態対照部１５３と対照して一般的なほくろか黒色腫かを判断する。黒色腫の場合には、悪性か良性かを検診する測定資料を提示する。
【０１３９】
さらに、本発明の実施例に係る多重光源を用いた皮膚状態測定装置１００は、皮膚の測定位置で光を照射する発光体、撮影モジュール１２７、ケーシング本体１１１、制御部１４０及び撮影分析部１５０を含む。ここで、撮影モジュール１２７、ケーシング本体１１１、制御部１４０及び撮影分析部１５０は、図１乃至図４で示した多重光源を用いた皮膚状態測定装置１００と類似なことから、図１乃至図４を参照して下記のように説明する。
【０１４０】
なお、発光体は、図１乃至図４に示した反射発光体１２２と直射発光体１３３が両方使用できるもので、下記では説明の混同を防止するために、符号の併記なしで記載されているが、反射発光体１２２と直射発光体１３３を両方使用できることは当業者に自明である。
【０１４１】
発光体は、皮膚の測定位置に選択的に照射されるように、相異なる波長の光源を区分して配置するように具備される。
【０１４２】
撮影モジュール１２７は、発光体から照射された光の状態に応じて測定位置を撮影するように具備される。
【０１４３】
ケーシング本体１１１は、発光体の相異なる波長の光源から照射される光が撮影モジュール１２７に直接照射されないように、遮蔽する構造に具備される。
【０１４４】
制御部１４０は、ケーシング本体１１１の内側に配置され、発光体の照射及び撮影モジュールの動作を制御するように具備される。制御部１４０は、発光体、撮影モジュール１２７及び撮影分析部１５０と連結されて、皮膚状態に応じて相異なる波長の光源のうち選択された一つの波長を発光体から測定位置に照射するように制御し、選択された波長の光が発光体から発光された状態で撮影モジュール１２７が撮影を行った後、撮影分析部１５０に転送し、イメージを分析するように制御する。
【０１４５】
撮影分析部１５０は、測定位置における皮膚表面から皮膚内側の既設定された深さまで撮影された複数のイメージを合成し、深さ軸に合成されたイメージを生成するように具備される。かかる撮影分析部１５０は、合成されたイメージを分析し、測定位置におけるほくろの存在可否、存在するほくろの大きさ、形態、色相などの情報を取得し、これに基づき前記ほくろの深さ又はほくろが母斑を構成するメラニンの変形かどうかを分析できる。
【０１４６】
かかる説明は、本発明の技術思想を例示的に説明したものに過ぎず、本発明が属する技術分野で通常の知識を有した者であれば、本発明の本質的な特性から逸脱しない範囲内で様々な修正及び変形が可能である。
【０１４７】
したがって、本発明に開示された実施例は、本発明の技術思想を限定するためではなく、説明するためのものであり、このような実施例により本発明の技術思想の範囲が限定されるものではない。
【０１４８】
本発明の保護範囲は、以下の請求範囲により解釈されるべきであり、それと同等な範囲内にあるすべての技術思想は、本発明の権利範囲に含まれるものとして解釈されなければならないであろう。
【図１】
2020513966.tif 000004
【図２】
2020513966.tif 000005
【図３】
2020513966.tif 000006
【図４】
2020513966.tif 000007
【図５】
2020513966.tif 000008
【図６】
2020513966.tif 000009
【図７】
2020513966.tif 000010
【図８】
2020513966.tif 000011
【図９】
2020513966.tif 000012
【図１０】
2020513966.tif 000013
【図１１】
2020513966.tif 000014
【図１２】
2020513966.tif 000015
【図１３】
2020513966.tif 000016
【手続補正書】
【提出日】令和1年6月26日(2019.6.26)
【手続補正１】
【補正対象書類名】明細書
【補正対象項目名】全文
【補正方法】変更
【補正の内容】
【発明の詳細な説明】
【技術分野】
【０００１】
本発明は、多重光源を用いた皮膚状態測定装置に関するものであり、より詳細には、皮膚に浸透される深さの異なる可視光線、紫外線及び赤外線の多重光源を照射して、皮膚内に沈着されている物質の形態、大きさ及び色相などの情報を撮影したイメージを分析し、皮膚の状態と皮膚病の症状を予め把握するために視覚的に確認しながら測定することによって、測定の正確性を向上させて、皮膚内に沈着された深さと形態に応じて皮膚の診断に基礎資料を提供する多重光源を用いた皮膚測定装置に関する。
【背景技術】
【０００２】
一般に、皮膚（ｓｋｉｎ）は、体内の筋肉と器官を保護する身体の器官であって、病原菌から身体を保護する非常に重要な役割を果たしている。また、皮膚のその他の主要機能としては、断熱（ｉｎｓｕｌａｔｉｏｎ）と体温調節機能、感覚機能、そしてビタミンＤの合成とビタミンＢ葉酸塩（ｆｏｌａｔｅｓ）の保護機能などがある。
【０００３】
かかる皮膚は、外気に直接接触しながら病原菌から身体を守り、身体の外部器官に外部の老廃物が直接接触して毛根に溜まったり、皮脂またはブラックヘッドが発生し、老廃物の蓄積により皮膚の内部に浸透すると、色相沈着が発生して皮膚が損傷されるため、皮膚測定装置を通して老廃物の形態と深さを測定し、管理又は治療を行っている。
【０００４】
さらに、皮膚は太陽光が照射されると、上述した主要機能を行いながら、健康の維持に有利な効果が作用するが、長時間直射される太陽光に露出されると、色相沈着、日光火傷、光老化などが発生したり、深刻な場合にはほくろ状の黒色腫による皮膚癌が発生することもある。
【０００５】
したがって、皮膚の測定において、単なる皮膚の内部における毛根、色相沈着、皮脂、ブラックヘッドなどの美容的な皮膚状態を測定するだけでなく、母斑、腫瘍、白斑症、黒色腫及び傷などの皮膚疾病についても測定する必要性が増大している状況である。
【０００６】
従来の技術による皮膚測定装置は、フィルターを用いて多重光を照射する装置が開発され使用されてきた。かかる従来技術による皮膚測定装置は、紫外線光線を皮膚に照射し、カメラのセンサー体には紫外線光遮断フィルターを装着して、可視光線だけをカメラで見るようにすると、紫外線光により励起されて可視光線で発光されるポルフィリン及びメラニンを観察することができる。
【０００７】
しかし、偏光フィルターと紫外線光遮断フィルターを共に使用すると、光が遮られすぎてカメラが暗くなりすぎるため、紫外線光による発光効果を極大化することが困難である。
【０００８】
また、各光源を内蔵したカメラを変えながら皮膚を観察する場合、同じ位置の皮膚を観察することが容易でない。なお、長時間の作動時に、白色光源、紫外線光源の寿命が急激に減ってしまい、特に紫外線光線の場合には皮膚にメラニン色素沈着と皮膚損傷が起こり得る。
【０００９】
したがって、従来の皮膚観察装置は、特定の一つの部位を多様な光源で観察することが容易でなく、長時間の作動により使用される光源の寿命が縮まり、長時間の紫外線の照射により皮膚にメラニン色素沈着と皮膚損傷が起こり得るという問題点があった。
【発明の概要】
【発明が解決しようとする課題】
【００１０】
本発明は、前述した問題点を解決するために案出されたものであり、本発明の目的は、皮膚に浸透される深さの異なる可視光線、紫外線及び赤外線の多重光源を照射して、皮膚内に沈着されている物質の形態、大きさと色相などの情報を撮影したイメージを分析し、皮膚の状態と皮膚病の症状を予め把握するために、視覚的に確認しながら測定することによって、測定の正確性を向上させて、皮膚内に沈着された深さと形態に応じて皮膚の診断に基礎資料を提供する多重光源を用いた皮膚測定装置を提供することにある。
【００１１】
本発明の目的は、前述した目的に制限されなく、言及していない他の目的は以下の記載により明確に理解できると考える。
【課題を解決するための手段】
【００１２】
上記目的を達成するために、本発明の一実施例に係る多重光源を用いた皮膚状態測定装置は、皮膚の測定位置に接触した状態で、相異なる波長の光が皮膚の内部の一側に選択的に照射されるように、光が発光される位置をそれぞれ遮蔽したケーシング部；前記ケーシング部の内部に配置されており、皮膚の一側方向に可視光線光、紫外線光及び赤外線光を選択的に反射により間接光状で照射しながら、光が照射される皮膚を撮影する反射撮影部；前記ケーシング部の内部に配置されており、前記反射撮影部に位置し、前記反射撮影部から照射される光が通過しながら皮膚に直接照射される直接光状で照射し、皮膚状態をセンシングする直射センシング部；前記ケーシング部の内部に配置されており、前記反射撮影部と前記直射発光部を制御し、可視光線光、紫外線光及び赤外線光のうち選択された光を皮膚に間接光状で照射し、皮膚状態に応じて浸透される直接光状で照射するように制御しながら撮影を行って転送する制御部；前記ケーシング部の一側に配置されており、前記制御部と電気的に連結され、前記制御部で撮影されたイメージを皮膚状態に応じて合成し、色相と形を対照して分析する撮影分析部；を含む。
【００１３】
また、前記ケーシング部は、皮膚の測定時に皮膚と接触し、使用者の操作により光を照射するように具備されており、内部の一側が開放され、前記反射撮影部、前記直射センシング部及び前記制御部が設置される空間形状のケーシング空間を有するケーシング本体；及び前記ケーシング本体の一側に配置されており、内部の他側に前記反射撮影部が設置された状態で、一側中央において一部開放される遮断開放孔を除いた残り位置に前記反射撮影部から照射される光を遮断する遮断空間を有し、前記遮断空間の一側の複数位置に前記直射センシング部の相異なる波長の赤外線光が照射される部分が挿入される直射発光孔と、前記直射センシング部の皮膚をセンシングする部分が挿入されるセンサー設置孔が形成された遮断体；を含むことができる。
【００１４】
そして、前記反射撮影部は、前記ケーシング部の内部に配置されており、前記ケーシング部の光を遮蔽する部分の開放された他側を閉鎖し、光が他側に発散されることを遮断する発光遮断体；前記発光遮断体から一側に既設定された距離で離れて配置されており、中央から既設定された距離で離れた外周の複数位置に、可視光線光、紫外線光及び赤外線光が他側に向かって照射されるようにそれぞれ具備された状態で前記制御部で制御できるように連結され、制御信号により可視光線光、紫外線光及び赤外線光を選択的に他側方向に照射する反射発光体；前記発光遮断体と前記反射発光体との間に配置されており、前記反射発光体の他側を包みながらラウンド状で具備され、一側が開放されて内部に前記反射発光体が位置した反射空間を有し、前記反射空間の奥には前記反射発光体の作動により他側に照射される光が一側方向に屈折されるように反射する反射面が形成され、中央に貫通した通孔状の反射通孔が形成された反射本体；前記発光遮断体の一側に固定配置されており、前記反射通孔に挿入され、前記反射発光体から照射されて前記反射本体に反射される光と前記直射センシング部から直射される光を選択的に照射した状態の皮膚を撮影する撮影モジュール；を含むことができる。
【００１５】
また、前記反射撮影部は、前記ケーシング部の内部に配置されており、前記ケーシング部の光を遮蔽する部分の開放された他側を閉鎖し、光が他側に発散されることを遮断する発光遮断体；前記発光遮断体から一側に既設定された距離で離れて配置されており、中央から既設定された距離で離れた外周の複数位置に、可視光線光、紫外線光及び赤外線光が他側に向かって照射されるようにそれぞれ具備された状態で前記制御部で制御できるように連結され、制御信号により可視光線光、紫外線光及び赤外線光を選択的に他側方向に照射する反射発光体；前記発光遮断体と前記反射発光体との間に配置されており、前記反射発光体の他側を包みながらラウンド状で具備され、一側が開放されて内部に前記反射発光体が位置した反射空間を有し、前記反射空間の奥には前記反射発光体の作動により他側に照射される光が一側方向に屈折されるように反射する反射面が形成され、中央に貫通した通孔状の反射通孔が形成された反射本体；前記発光遮断体と前記反射本体との間に配置されており、前記反射通孔から既設定された距離で離れた一側に位置し、中央から一側方向に像を屈折させるミラー状で具備され、撮影される画像を一側に屈折させる撮影ミラー；及び前記ケーシング部の内部に配置されており、前記発光遮断体の一側に、前記ケーシング部の光を遮蔽する部分の一側面における中央方向を撮影する位置に、前記撮影ミラーで屈折された画像を撮影するように具備され、前記反射発光体から照射されて前記反射本体に反射される光と前記直射センシング部から直射される光を選択的に照射した状態の皮膚を撮影する撮影モジュール；を含むことができる。
【００１６】
さらに、前記反射撮影部は、前記ケーシング部の内部に配置されており、前記ケーシング部の光を遮蔽する部分の開放された他側を閉鎖し、光が他側に発散されることを遮断する発光遮断体；前記発光遮断体から一側に既設定された距離で離れて配置されており、中央から既設定された距離で離れた外周の複数位置に、可視光線光、紫外線光及び赤外線光が肌方向である一側に向かって照射されるようにそれぞれ具備された状態で、前記制御部で制御されるように連結されて、制御信号により可視光線光、紫外線光及び赤外線光を選択的に一側方向に照射する反射発光体；前記反射発光体の一側に配置されており、前記反射発光体と皮膚との間に位置し、前記反射発光体から発光される光の照射範囲を拡大するように拡散し、間接光状で皮膚に照射するように設置された拡散板；及び前記発光遮断体の一側中央に固定配置されており、前記反射発光体の他側に既設定された距離で離れて、前記拡散板を通して拡散された光と前記直射センシング部から直射される光を選択的に照射した状態の皮膚を撮影する撮影モジュール；を含むことができる。
【００１７】
さらにまた、前記直射センシング部は、前記反射撮影部の一側に配置されており、前記ケーシング部の前記反射撮影部が設置されて遮蔽される一側に位置し、中央に前記反射撮影部の反射光と撮影される皮膚が露出されるように貫通した直射遮断通孔を有する直射遮断体；前記直射遮断体の一側に複数配置されており、前記直射遮断通孔の外周位置に赤外線光が発光されるように具備され、前記ケーシング部の前記反射撮影部を遮断した一側外に突出するように挿入されて、皮膚に直接的に光を照射する直射発光体；及び前記直射遮断体の一側に配置されており、前記ケーシング部の前記反射撮影部を遮断した一側外に突出するように挿入されて、皮膚に近接した状態で皮膚の状態を測定するセンサー体；を含むことができる。
【００１８】
そして、前記直射センシング部は、前記反射撮影部の一側に配置されており、前記ケーシング部の前記反射撮影部が設置されて遮蔽される一側に位置し、中央に前記反射撮影部の反射光と撮影される皮膚が露出されるように貫通した直射遮断通孔を有する直射遮断体；前記直射遮断体の一側に複数で配置されており、前記直射遮断通孔の外周に複数の相異なる波長を有する赤外線光が発光されるように具備され、前記ケーシング部の前記反射撮影部を遮断した一側外に突出するように挿入されて、皮膚に直接的に光を照射する直射発光体；及び前記直射遮断体の一側に配置されており、前記ケーシング部の前記反射撮影部を遮断した一側外に突出するように挿入されて、皮膚に近接した状態で皮膚の状態を測定するセンサー体；を含むことができる。
【００１９】
さらに、前記直射センシング部は、前記反射撮影部の一側に配置されており、前記ケーシング部の前記反射撮影部が設置されて遮蔽される一側に位置し、中央に前記反射撮影部の反射光と撮影される皮膚が露出されるように貫通した直射遮断通孔を有する直射遮断体；前記直射遮断体の一側に複数で配置されており、前記直射遮断通孔の外周に、複数の相異なる波長を有する赤外線光と可視光線がそれぞれ発光されるように具備され、前記ケーシング部の前記反射撮影部を遮断した一側外に突出するように挿入されて、皮膚に直接的に光を照射する直射発光体；及び前記直射遮断体の一側に配置されており、前記ケーシング部の前記反射撮影部を遮断した一側外に突出するように挿入されて、皮膚に近接した状態で皮膚の状態を測定するセンサー体；を含むことができる。
【００２０】
さらにまた、前記センサー体は、油分測定センサー、水分測定センサー、弾力測定センサー、温度センサー、超音波測定センサー及びｐＨ測定センサーのうち何れか一つ以上の測定センサーが具備されることができる。
【００２１】
なお、前記制御部は、前記ケーシング部の一側面に突出配置されており、使用者の押し作動により光出力と撮影を制御するように操作して制御信号を発生させる制御スイッチ；前記ケーシング部の内部に配置されており、前記制御スイッチと連結されて、操作信号により前記反射撮影部から照射される可視光線光、紫外線光及び赤外線光を選択的に照射するか否かを判断してそれぞれの間接発光制御信号を生成し、前記直射センシング部で皮膚に浸透される光を直接照射するか否かを判断して直接発光制御信号を生成し、前記反射撮影部で前記反射撮影部と前記直射センシング部により発散される光の組み合わせにより、それぞれ撮影するか否かを判断して撮影を行う撮影実施信号を生成し、前記直射センシング部で皮膚状態をセンシングする部分を選択的に測定するように測定制御信号を生成する制御体；前記ケーシング部の内部に配置されており、前記制御体と前記反射撮影部が連結されて生成された前記間接発光制御信号により、前記反射撮影部から間接光状の反射可視光線光を発光するように制御する反射可視光線制御部；前記ケーシング部の内部に配置されており、前記制御体と前記反射撮影部が連結されて生成された前記間接発光制御信号により、前記反射撮影部から間接光状の反射紫外線光を発光するように制御する反射紫外線制御部；前記ケーシング部の内部に配置されており、前記制御体と前記反射撮影部が連結されて生成された前記間接発光制御信号により、前記反射撮影部から間接光状の反射赤外線光を発光するように制御する反射赤外線制御部；前記ケーシング部の内部に配置されており、前記制御体と前記直射センシング部が連結されて生成された前記直接発光制御信号により、前記直射センシング部から、複数の相異なる波長のうち選択された波長を直接光状にして直射赤外線光を発光するように制御する直射赤外線制御部；前記ケーシング部の内部に配置されており、前記制御体と前記反射撮影部と連結されて生成された前記撮影実施信号により、皮膚を撮影するように制御し、撮影されたイメージを前記撮影分析部に転送する撮影制御部；及び前記ケーシング部の内部に配置されており、前記制御体と前記反射撮影部と連結されて生成された前記測定制御信号により、前記直射センシング部で選択された測定センサーにて皮膚状態を測定するように制御するセンサー制御部；を含むことができる。
【００２２】
また、前記撮影分析部は、前記ケーシング部の一側に配置されており、前記反射撮影部から照射される照射される間接光と前記直射センシング部から照射される直接光を、前記制御部で制御された多重光が照射される条件下で、前記反射撮影部で撮影する部分と連結されて撮影された複数のイメージを前記制御部を通して入力され、入力された複数のイメージを合成する画面合成部；
査される間接光と前記直射センシング部から照射される直接光を、前記制御部で制御された多重光が照射される条件下で、前記反射撮影部で撮影する部分と連結されて撮影された複数のイメージを前記制御部を通して入力され、入力された複数のイメージを合成する画面合成部；前記ケーシング部の一側に配置されており、前記画面合成部と連結されて合成されたイメージと、皮膚に生成される物質の種類に応じて色相毎に生成された色相基本情報とを対照し、皮膚に生成された物質を診断する色相対照部；及び前記ケーシング部の一側に配置されており、前記画面合成部と連結されて合成されたイメージと、皮膚に生成される物質の種類に応じて形態別に生成された形態基本情報とを対照し、皮膚に生成された物質を診断する形態対照部；を含むことができる。
【００２３】
それから、本発明の他の実施例に係る多重光源を用いた皮膚状態測定装置は、皮膚の測定位置に選択的に照射されるように、相異なる波長の光源を区分して配置した発光体；前記光源から光が照射された状態で、前記測定位置を撮影する撮影モジュール；前記発光体の相異なる光源から照射される光が、前記撮影モジュールに直接照射されないように遮蔽するケーシング本体；前記ケーシング本体の内側に配置され、前記発光体の照射及び前記撮影モジュールの動作を制御する制御部；及び前記測定位置の皮膚表面から皮膚の内側の既設定された深さまで撮影された複数のイメージを合成し、深さ軸に合成されたイメージを生成する撮影分析部；を含み、前記撮影分析部は、前記合成されたイメージを分析し、前記測定位置でほくろの存在可否、存在するほくろの大きさ、形態、色相などの情報を取得し、これに基づき、前記ほくろの深さ又は前記ほくろが母斑を構成するメラニンの変形であるか否かを分析することができる。
【００２４】
前記目的を達成するための具体的な事項は、添付図面と共に詳細に後述されている実施例を参照すれば、明確になるだろう。
【００２５】
ところが、本発明は以下で開示される実施例に限定されず、相異なる多様な形態で構成でき、本実施例は、本発明の開示を完全にし、本発明が属する技術分野において通常の知識を有する者に発明の範疇を完全に知らせるために提供されるものである。
【発明の効果】
【００２６】
前述した本発明の課題解決手段の一つによると、本発明の実施例に係る多重光源を用いた皮膚状態測定装置は、皮膚に浸透される深さの異なる可視光線、紫外線及び赤外線の多重光源を照射して、皮膚内に沈着されている物質の形態、大きさと色相などの情報を撮影したイメージを分析し、皮膚の状態と皮膚病の症状を予め把握するために、視覚的に確認しながら測定することによって、測定の正確性を向上させて、皮膚内に沈着された深さと形態に応じて皮膚診断に基礎資料を提供し、皮膚測定の正確性を向上させる効果を提供する。
【００２７】
また、本発明の実施例に係る多重光源を用いた皮膚状態測定装置は、可視光線、紫外線及び赤外線の多重光源を、反射による間接光状に選択的に照射し、皮膚の深くまで浸透する赤外線光は、皮膚に近接した状態で直射光状に相異なる波長を選択的に照射し、皮膚の表面と内部の深くに位置している測定対象物を皮膚の深さ別に相異なる波長にてイメージを撮影することにより、測定対象物の大きさ、色相及び形態を皮膚の表面から内部の深くまで正確に測定できる効果を提供する。
【００２８】
そして、本発明の実施例に係る多重光源を用いた皮膚状態測定装置は、可視光線、紫外線及び赤外線の多重光源で皮膚の表面と一定深さに位置する測定対象物を撮影し、相異なる波長の複数の赤外線光を選択的に直射で照射して皮膚の深さ別に撮影することができるため、フィルター無しで光を変換しながら撮影を行うことにより、構造が簡単で使用利便性が向上される効果を提供する。
【００２９】
さらに、本発明の実施例に係る多重光源を用いた皮膚状態測定装置は、多重光を用いて皮膚の表面から深さ別にそれぞれ撮影されたイメージを合成し、測定対象物の色相、大きさと形態をイメージとして表現することによって、皮膚の状態と疾病による見本と対照して診断できて、使用利便性を向上させる効果を提供する。
【図面の簡単な説明】
【００３０】
【図１】本発明の一実施例に係る多重光源を用いた皮膚状態測定装置を示す斜視図である。
【図２】図１における多重光源を用いた皮膚状態測定装置を示す一部省略分解斜視図である。
【図３】図１における多重光源を用いた皮膚状態測定装置の主要機能の作動関係を示す作動関係図である。
【図４】図１における多重光源を用いた皮膚状態測定装置の主要部分の作動状態を示す作動状態図である。
【図５】本発明の他の実施例に係る多重光源を用いた皮膚状態測定装置の主要部分の作動状態を示す作動状態図である。
【図６】本発明のさらに他の実施例に係る多重光源を用いた皮膚状態測定装置の主要部分の作動状態を示す作動状態図である。
【図７】本発明の実施例に係る多重光源を用いた皮膚状態測定装置において、皮膚症状別に多重光源を用いてそれぞれのイメージを撮影した状態を示す写真である。
【図８】本発明の実施例に係る多重光源を用いた皮膚状態測定装置において、皮膚分析のために撮影された複数のイメージを示す写真である。
【図９】図８のイメージを用いて皮膚を分析するイメージ分析方法によって合成されたイメージを示す分析状態写真である。
【図１０】図８のイメージを用いて症状別にイメージを合成して分析する例を示す分析状態写真である。
【図１１】本発明の実施例に係る多重光源を用いた皮膚状態測定装置１００において、皮膚に生成されたでほくろを多重光源で撮影したイメージを示す写真である。
【図１２】図１１で撮影したイメージを皮膚の深さ別に配列して合成することにより、ほくろの大きさと形態を立体的に表す過程を示す説明図である。
【図１３】皮膚組織内における黒色腫の良性及び悪性腫瘍の大きさと形状を表す表形式の図面である。
【符号の説明】
【００３１】
１００：測定装置            １１０：ケーシング部
１１１：ケーシング本体      １１２：ケーシング空間
１１３：遮断体            １１４：遮断空間
１１５：遮断開放孔          １１６：直射発光孔
１１７：センサー設置孔      １２０：反射撮影部
１２１：発光遮断体        １２２：反射発光体
１２３：反射本体            １２４：反射空間
１２５：反射面              １２６：反射通孔
１２７：撮影モジュール      １２８：撮影ミラー
１２９：拡散板              １３０：直射センシング部
１３１：直射遮断体        １３２：直射遮断通孔
１３３：直射発光体          １３４：センサー体
１４０：制御部              １４１：制御スイッチ
１４２：制御体              １４３：反射可視光線制御部
１４４：反射紫外線制御部    １４５：反射赤外線制御部
１４６：直射赤外線制御部    １４７：撮影制御部
１４８：センサー制御部      １５０：撮影分析部
１５１：画面合成部          １５２：色相対照部
１５３：形態対照部
【発明を実施するための形態】
【００３２】
本発明は、多様な変更を加えることができ、様々な実施例を有することができるため、特定の実施例を図面に例示し、これを詳細な説明により詳細に説明する。しかし、これは本発明を特定の実施形態に対して限定するものではなく、本発明の思想及び技術範囲に含まれるすべての変更、均等物乃至代替物を含むものと理解しなければならない。
【００３３】
本発明の説明において、関連する公知技術についての具体的な説明が本発明の要旨を曖昧にさせると判断される場合は、その詳細な説明を省略する。また、本明細書の説明過程において使われる数字（例えば、第１、第２など）は、一つの構成要素を他の構成要素と区別するための識別記号に過ぎない。
【００３４】
また、本明細書において、ある構成要素が他の構成要素と「連結される」または「接続される」と言及された場合は、前記ある構成要素が他の構成要素と直接連結されるまたは直接接続される場合もあれば、特別に反対される記載が存在しない以上、両構成要素の間にさらに他の構成要素を介在して連結されるまたは接続される場合もあると理解すべきである。
【００３５】
以下の説明で使用される構成要素に対する接尾辞「モジュール」及び「部」は、明細書の作成の容易性のみが考慮されて付与されるか混用されるものであって、それ自体で互いに区別される意味または役割を有することはない。また、本発明を明確に説明するために、説明と関係のない部分は図面から省略し、図面において、構成要素の幅、長さ、厚さなどは、便宜のために誇張されて表現されることもある。明細書の全体に亘って、同一な参照符号は同一な構成要素を表す。
【００３６】
以下、添付された図面を参照して、本発明を実施するための具体的な内容を説明する。
【００３７】
図１は、本発明の一実施例に係る多重光源を用いた皮膚状態測定装置を示す斜視図であり、図２は、図１における多重光源を用いた皮膚状態測定装置を示す一部省略分解斜視図であり、図３は、図１における多重光源を用いた皮膚状態測定装置の主要機能の作動関係を示す作動関係図であり、図４は、図１における多重光源を用いた皮膚状態測定装置の主要部分の作動状態を示す作動状態図である。
【００３８】
図１乃至図４を参照すると、本発明の実施例に係る多重光源を用いた皮膚状態測定装置１００は、皮膚の毛根、色相沈着、皮脂、ブラックヘッドなどの皮膚内における老廃物の除去と母斑、腫瘍、白斑症、黒色腫及び傷などの皮膚疾病の診断のために、皮膚の状態と各種症状に応じる形状を測定する装置である。
【００３９】
特に、黒色腫は腫瘍の一種であって、良性の場合には健康に脅威を与えず、美容的に除去すれば済むが、悪性の場合には皮膚癌として診断されて生命に脅威を与えることがある。
【００４０】
かかる黒色腫の良性と悪性の区分は、非対称性（Ａｓｙｍｍｅｔｒｙ）、不規則な境界（Ｂｏｒｄｅｒ  ｉｒｒｅｑｕｌａｒｉｔｙ）、色調の多様性（Ｃｏｌｏｒ  ｖａｒｅｇａｔｉｏｎ）、直径の大きさ（Ｄｉａｍｅｔｅｒ）、色調と大きさの変化（Ｅｖｏｌｕｔｉｏｎ）で測定するＡＢＣＤＥ観察法により観察している。
【００４１】
Ａｓｙｍｍｅｔｒｙ"形が非対称的なのか"：黒色腫は左右非対称的な形をしています。左右の形が違うと、黒色腫が疑われる余地がある。
【００４２】
Ｂｏｒｄｅｒ  ｉｒｒｅｇｕｌａｒｉｔｙ"境界が不規則的なのか"：ほくろ（メラニン細胞性母斑）は周りが円のように柔らかい曲線であるが、黒色腫は周りがでこぼこでギザギザしている。
【００４３】
Ｃｏｌｏｒ  ｖａｒｉｅｇａｔｉｏｎ"色が多様なのか"：一つの病変で茶色、黒色などの二つ以上の多様な色と陰影が見られると、黒色腫が疑われる余地がある。
【００４４】
Ｄｉａｍｅｔｅｒ"直径が０．６ｃｍ以上であるか"：ほくろの大きさはほとんど０．６ｃｍを超えない。最近できたほくろが０．６ｃｍを超えると、黒色腫が疑われる可能性がある。
【００４５】
Ｅｌｅｖａｔｉｏｎ  ｏｒ  Ｅｖｏｌｕｔｉｏｎ"盛り上がったり色調や大きさが変わったか"：斑点の厚さが厚くなって盛り上がったり、色や大きさが急に変わったり大きくなったりなどの変化が表れると黒色腫である可能性がある。
【００４６】
また、皮膚の色素の一種であるメラニン色素は、紫外線から皮膚を保護するもので、過度に分泌されると毛根の色が濃くなったり、色素沈着と皮脂などの症状が発生して皮膚状態が悪化することから、かかる症状の広さと深さを測定して皮膚管理や皮膚治療に資料として使用することができる。
【００４７】
かかるメラニン色素は、皮膚に深く浸透される赤外線光源を照射した状態で測定を行うと、正確な形態と色相に関する情報を明確に判断しにくいため、可視光線を照射した画像を使用することになる。
【００４８】
ところが、可視光線光を照射した画像は、皮膚の内部に深く浸透できず、表面だけを撮影するため、色相と形態は明確に判断できるが、皮膚がどの程度の深さで撮影できたかは分かりにくかった。
【００４９】
したがって、皮膚に浸透される赤外線光で撮影された画像と可視光線で撮影された画像を合成することにより、メラニン色素の色相、形態及び深さに関する測定値を明確に規定できることから、多重光源を用いた皮膚装置が使用される。
【００５０】
本発明の実施例に係る多重光源を用いた皮膚状態測定装置１００は、上述した表１のように、皮膚内にほくろ状で具備されている黒色腫が皮膚の内部に深く位置しており、皮膚の表面の形態と色相だけでは区分しにくいため、可視光線と紫外線光を用いて表面の形態と色相を撮影し、赤外線を用いて皮膚に浸透した状態の画像を各深さ別に撮影して、一つのイメージに合成した後に上述した形態と色相を対照して測定する装置である。
【００５１】
なお、多重光源を用いた皮膚状態測定装置１００は、赤外線光では皮膚表面の形態と色相が判断できず、色素沈着のようなメラニン色素による皮膚損傷を区分しにくいため、皮膚表面は可視光線光を用いて撮影し、赤外線を用いては深さ別に撮影し、その撮影したイメージを合成した後に測定する装置である。
【００５２】
かかる多重光源を用いた皮膚状態測定装置１００は、皮膚を測定するために皮膚に接触するケーシング部１１０、反射撮影部１２０、直射センシング部１３０、制御部１４０及び撮影分析部１５０を含む。
【００５３】
ケーシング部１１０は、皮膚の測定位置に接触した状態で、相異なる波長の光が皮膚の内部の一側に選択的に照射されるように、光が発光される位置をそれぞれ遮蔽するように具備される。
【００５４】
かかるケーシング部１１０は、皮膚と接触しながら各種部品が内蔵されたケーシング本体１１１及び遮断体１１３を含む。
【００５５】
ケーシング本体１１１は、皮膚測定時に皮膚と接触して使用者の操作により光を照射するように具備されており、内部の一側が開放され、反射撮影部１２０、直射センシング部１３０及び制御部１４０が設置される空間状のケーシング空間１１２を有するように具備される。
【００５６】
すなわち、ケーシング本体１１１は、内部に反射撮影部１２０、直射センシング部１３０及び制御部１４０が設置され、使用者が把持した状態で皮膚と接触し、制御部１４０を操作すると反射撮影部１２０と直射センシング部１３０が作動するように具備される。
【００５７】
遮断体１１３は、ケーシング本体１１１の一側に配置されており、内部に他側に反射撮影部１２０が設置された状態で、一側中央に一部開放される遮断開閉孔１１５を除いた残り位置に反射撮影部１２０で照射される光を遮断する遮断空間１１４を有するように具備される。
【００５８】
遮断体１１３は、一側に一部が開放される遮断開放孔１１５が設置された空間状で形成され、開放された他側に反射撮影部１２０にて閉鎖するように具備され、制御部１４０の制御により撮影を行うために、遮断開放孔１１５方向に光が照射されるように残り部分の光を遮断する形態で具備される。
【００５９】
遮断体１１３の一側に、複数位置に直射センシング部１３０の相異なる波長の赤外線光が照射される部分が挿入される直射発光孔１１６と、直射センシング部１３０の皮膚をセンシングする部分が挿入されるセンサー設置孔１１７が形成される。遮断体１１３の一側外部に設置される直射センシング部１３０を挿入支持するために一側面に直射光が照射される位置に直射発光孔１１６が形成され、生体情報をセンシングする位置にはセンサー設置孔１１７がそれぞれ形成される。
【００６０】
反射撮影部１２０は、ケーシング部１１０の内部に配置されており、皮膚の一側方向に可視光線光、紫外線光及び赤外線光を選択的に反射により間接光状で照射しながら、光が照射される皮膚を撮影するように具備される。
【００６１】
かかる反射撮影部１２０は、遮断体１１３の他側に配置されて光を遮断する発光遮断体１２１、反射発光体１２２、反射本体１２３及び撮影モジュール１２７を含む。
【００６２】
発光遮断体１２１は、遮断体１１３の内部に配置されており、遮断体１１３の開放された他側を閉鎖するように設置され、光が遮断空間１１４で遮断されて遮断開放孔１１５を通して外部へ照射されるために開放された他側を遮断する。
【００６３】
反射発光体１２２は、前記発光遮断体１２１から一側に既設定された距離で離れて配置されており、中央から既設定された距離で離れた外周の複数位置に、可視光線光、紫外線光及び赤外線光が他側に向かって照射されるようにそれぞれ具備された状態で前記制御部で制御されるように連結され、制御信号により可視光線光、紫外線光及び赤外線光を選択的に他側方向に照射するように具備される。反射発光体１２２は、遮断開放孔１１５の外縁に複数配置されて、遮断体１１３の内側の一側方向から反射本体１２３の方向に光を照射するように具備される。
【００６４】
反射発光体１２２は、皮膚で測定される対象物の種類と形態及び色相に応じて最適に撮影される光を照射するために、可視光線光、紫外線光及び赤外線光のうち一つを選択して撮影を行い、別の光が必要な場合には、上述した種類の光のうち一つを選択して撮影を行うことによって、多重光源を用いて撮影を行う環境を作り上げて、測定対象物の正確な色相と大きさ、形態のイメージを獲得することができる。
【００６５】
すなわち、可視光線は通常的に人が見られる光線帯域であって、測定対象物の色相と大きさを表面的に把握することができ、紫外線光を照射するとメラニンなどの色相沈着の可否を把握することができ、赤外線光は皮膚の内部に浸透し、波長により深さを把握することができる。このように多重光源を用いて撮影を行うと、測定対象物の色相及び大きさを正確に測定できるように撮影することが可能である。
【００６６】
反射本体１２３は、発光遮断体１２１と反射発光体１２２との間に配置されており、反射発光体１２２の他側を包みながらラウンド状で具備され、一側が開放されて内部に前記反射発光体１２２が位置した反射空間１２４を有し、前記反射空間１２４の内側には、前記反射発光体１２２の作動により他側に照射される光が一側方向に屈折されるように反射する反射面１２５が形成され、中央に貫通した通孔状の反射通孔１２６が形成される。
【００６７】
すなわち、反射本体１２３は、反射発光体１２２から他側に照射される光が一側に屈折されるように反射する構造で具備され、皮膚に直接照射せずに反射による間接光状で照射して、散乱や光のにじみ現象により光ノイズが発生することを防止できる。
【００６８】
皮膚は油分と水分を持っている有機物であって、直接的に光を照射しながら撮影すると、カメラ内で光の反射と散乱が発生するフレア（Ｆｌａｒｅ）現象が発生し、撮影されたイメージに二重の像が結ばれるゴースト現象や、霧のようにぼやけてノイズが発生するフォグ現象のため、正確なイメージを撮影することが難しい。
【００６９】
したがって、反射発光体１２２から発光される光を一次で反射本体１２３で反射し、間接光状で皮膚に照射することにより、上述したゴースト現象とフォグ現象を最小化しながら撮影が可能な光を提供することができる。
【００７０】
さらに、反射本体１２３は、ラウンド状で具備され、反射発光体１２２から照射される光を反射するものであって、出力の低い低出力の光源を用いても反射により広い範囲に拡散させられることから、反射発光体１２２の出力が低下しても拡散により使用可能になる効果を発揮する。
【００７１】
撮影モジュール１２７は、発光遮断体１２１の一側に固定配置されており、反射通孔１２６に挿入され、反射発光体１２２から照射されて反射本体１２３に反射される光が照射された皮膚を撮影するように具備される。
【００７２】
かかる撮影モジュール１２７は、反射本体１２３で反射された間接光と直射センシング部１３０から照射される直接光を選択的に照射しながら皮膚を撮影し、測定対象物の大きさと形態及び色相を特定するイメージを獲得することができる。
【００７３】
直射センシング部１３０は、ケーシング部１１０の内部に配置されており、反射撮影部１２０  に位置し反射撮影部１２０から照射される光が通過しながら、複数位置に設定された相異なる波長の赤外線光を選択的に照射しながら皮膚状態をセンシングするように具備される。
【００７４】
かかる直射センシング部１３０は、遮断体１１３の内部一側から他側方向に光の照射を遮断する直射遮断体１３１、直射発光体１３３及びセンサー体１３４を含む。
【００７５】
直射遮断体１３１は、反射発光体１２２の一側に配置されており、遮断体１１３の内部の一側端に位置し、中央に遮断開放孔１１５と蓮通される直射遮断通孔１３２が形成されるように具備される。直射遮断体１３１は、直射発光体１３３に電力を供給しながら支持できるように設置されたもので、直射発光体１３３から照射される光が反射発光体１２２の方向である他側に流入されることを防止するために、遮蔽させるように設置される。
【００７６】
直射発光体１３３は、直射遮断体１３１の一側に複数配置されており、直射遮断通孔１３２の外周に複数で相異なる波長を有する赤外線光が発光されるように具備され、反射本体１２３の一側における貫通した直射発光孔に挿入されて、一側方向に突出するように設置され、他側が遮断されて一側には皮膚に直接的に光が照射されるように具備される。
【００７７】
直射発光体１３３は、光を皮膚内に直接照射し、撮影モジュール１２７が照射される赤外線光にて設定深さに応じて照射対象物を撮影するように設置される。
【００７８】
かかる直射発光体１３３において、皮膚に直接照射される光は、皮膚の状態と測定対象物の種類に応じて多様な実施例が具現できて、直射発光体１３３の第１実施例では、単一波長の赤外線光を具備し、直射で赤外線光を照射することができる。かつ、直射発光体１３３の第２実施例では、複数の位置で相異なる波長の赤外線光が照射されるように複数具備し、制御部１４０の制御操作により選択された波長の赤外線光を照射することができる。そして、直射発光体１３３の第３実施例では、複数位置で相異なる波長を有する赤外線光と可視光線がそれぞれ発光されるように具備し、制御部１４０の制御操作により相異なる波長を有する赤外線光と可視光線のうち選択された波長の光を照射することができる。
【００７９】
ここで、直射発光体１３３の各実施例は、光の種類や数量が異なるだけであって、設置位置と制御による作動関係が同一なことから、下記では第２実施例に該当する、相異なる波長を有する複数の赤外線光が具備された直射発光体１３３に対してのみ説明する。これは説明の便宜のためのものであり、第１及び第３実施例に係る直射発光体１３３でも下記のような説明が適用されることは当業者にとって自明である。
【００８０】
第２実施例に係る直射発光体１３３（以下、直射発光体という）から照射される赤外線は、皮膚に照射された時に他の光と比較して深くまで浸透できる光であって、波長に応じてその深さを調節することができる。よって、相異なる波長の赤外線光が照射されるように複数の直射発光体１３３を制御部１４０と連結設置し、制御部１４０の制御信号により使用者が希望する深さを撮影する波長を有する直射発光体１３３を選択し、照射しながら撮影することによって、測定対象物の深さに応じて撮影を行い測定することができる。
【００８１】
センサー体１３４は、直射遮断体１３１の一側に配置されており、遮断体１１３の一側面に通孔状で形成されたセンサー設置孔１１７に挿入され、一側方向に突出するように設けられ、皮膚に近接した状態で皮膚の状態を測定するように具備される。
【００８２】
かかるセンサー体１３４は、油分測定センサー、水分測定センサー、温度センサー、超音波測定センサー、弾力測定センサー及びｐＨ測定センサーのうち少なくとも一つ以上の測定センサーが具備される。ここで、センサー体１３４を油分測定センサー、水分測定センサー、温度センサー、超音波測定センサー、弾力測定センサー及びｐＨ測定センサーのうち一つと定義したのは、皮膚状態を測定する通常的なセンサーを並べ立てたことであって、説明の便宜のために例を挙げたものなので、皮膚状態を測定できる多様なセンサーが代替して設置できることは当業者にとって自明である。
【００８３】
制御部１４０は、ケーシング本体１１１の内部に配置されており、反射撮影部１２０を制御し、可視光線、紫外線及び赤外線のうち選択された光を皮膚に間接光状で照射し、皮膚の状態に応じて、皮膚に浸透される赤外線の波長を有する発光部分を直射センシング部１３０で選択し、駆動を制御しながら撮影を行って転送するように具備される。
【００８４】
制御部１４０は、ケーシング本体１１１の一側面方向に突出して使用者により操作される制御スイッチ１４１、制御体１４２、反射可視光線制御部１４３、反射紫外線制御部１４４、反射赤外線制御部１４５、直射赤外線制御部１４６、撮影制御部１４７及びセンサー制御部１４８を含む。
【００８５】
制御スイッチ１４１は、ケーシング本体１１１の一側面に突出配置されており、使用者が押し動作により光出力と撮影を制御するように操作して、制御信号を発生するように具備される。
【００８６】
制御体１４２は、ケーシング本体１１１の内部に配置されており、制御スイッチ１４１と連結されて、操作信号により反射発光体１２２から照射される可視光線光、紫外線光及び赤外線光を選択的に照射するか否かを判断し、それぞれの間接発光制御信号を生成する。
【００８７】
かかる間接発光制御信号は、使用者により把握された測定対象物の種類と形態に応じて色相と形態を撮影できる可視光線光、紫外線光及び赤外線光のうち一つの光を選択するか、それぞれ順次に照射するために反射発光体１２２を制御する信号である。
【００８８】
かつ、制御体１４２は、制御スイッチ１４１と連結されて、操作信号により直射発光体１３３から皮膚に直接照射されるように、相異なる波長を有する赤外線光のうち一つの波長を選択して照射するか否かを判断し、波長による直接発光制御信号を生成する。
【００８９】
かかる直接発光制御信号は、皮膚内に位置した測定対象物の深さを測定するために、浸透される深さ別に相異なる波長を有する赤外線光のうち一つを選択し、直射発光体１３３に照射するために制御する信号である。
【００９０】
そして、制御体１４２は、制御スイッチ１４１と連結され、操作信号により撮影モジュール１２７で反射発光体１２２と直射発光体１３３により発散される光の組み合わせによって、それぞれ撮影可否を判断して撮影を行う撮影実施信号を生成する。
【００９１】
上述した間接発光制御信号と直接発光制御信号により光が照射される条件で撮影を行い、測定対象物の色相と大きさ及び形態に応じるイメージを生成する。
【００９２】
さらに、制御体１４２は、制御スイッチ１４１と連結され、照射信号によりセンサー体１３４で皮膚状態をセンシングする部分を選択的に測定するように測定制御信号を生成する。
【００９３】
反射可視光線制御部１４３は、ケーシング本体１１１の内部に配置されており、制御体１４２と反射発光体１２２が連結されて生成された間接発光制御信号により、反射発光体１２２から照射された可視光線が反射本体１２３に反射されて、間接光状の反射可視光線を照射するように制御する。
【００９４】
反射紫外線制御部１４４は、ケーシング本体１１１の内部に配置されており、制御体１４２と反射発光体１２２が連結されて生成された間接発光制御信号により、反射発光体１２２から照射された紫外線光が反射本体１２３に反射されて、間接光状の反射紫外線光を照射するように制御する。
【００９５】
反射赤外線制御部１４５は、ケーシング本体１１１の内部に配置されており、制御体１４２と反射発光体１２２が連結されて生成された間接発光制御信号により、反射発光体１２２から照射された可視光線光が反射本体１２３に反射されて、間接光状の反射可視光線光を照射するように制御する。
【００９６】
直射赤外線制御部１４６は、ケーシング本体１１１の内部に配置されており、制御体１４２と直射発光体１３３が連結されて生成された直接発光制御信号により、複数の相異なる波長のうち選択された波長を直接光状にして直射発光体１３３から直射赤外線光を照射するように制御する。
【００９７】
撮影制御部１４７は、系寝具本体１１１の内部に配置されており、制御体１４２と撮影モジュール１２７が連結されて生成された撮影実施信号により皮膚を撮影するように制御し、撮影されたイメージを撮影分析部１５０に転送するように具備される。
【００９８】
センサー制御部１４８は、ケーシング本体１１１の内部に配置されており、制御体１４２とセンサー体１３４が連結されて生成された測定制御信号によりセンサー体１３４で選択された測定センサーにて皮膚状態を測定するように制御する。
【００９９】
撮影分析部１５０は、ケーシング本体１１１の一側に配置されており、制御部１４０と電気的に連結され、制御部１４０で撮影したイメージを皮膚状態に合わせて合成し、色相と形態を対照して分析するように具備される。
【０１００】
撮影分析部１５０は、撮影モジュール１２７で撮影したイメージを撮影制御部１４７を通して転送されて合成する画面合成部１５１、色相対照部１５２及び形態対照部１５３を含む。
【０１０１】
画面合成部１５１は、ケーシング本体１１１の一側に配置されており、反射本体１２３に反射される反射撮影部１２０から照射された間接光と、直射センシング部１３０から照射される直接光を、反射可視光線制御部１４３反射紫外線制御部１４４、反射赤外線制御部１４５及び直射赤外線制御部１４６で制御された多重光が照射される条件下で、撮影モジュール１２７と連結されて撮影された複数のイメージを撮影制御部１４７を通して入力され、入力された情報を合成するように具備される。
【０１０２】
色相対照部１５２は、ケーシング本体１１１の一側に配置されており、画面合成部１５１と連結されて合成されたイメージと、皮膚に生成される物質の種類に応じて色相毎に生成された色相基本情報を対照し、皮膚に生成された物質を診断するように具備される。
【０１０３】
ここで、色相基本情報は、測定対象物の種類に応じて、それぞれの色相に関する情報として提供される。
【０１０４】
例えは、黒色腫の悪性と良性を区分するＡＢＣＥＤ観察法において、Ｃに該当する多様な色相が存在するかを撮影により合成されたイメージを通して対照して測定することができる。
【０１０５】
形態対照部１５３は、ケーシング本体１１１の一側に配置されており、画面合成部１５１と連結されて合成されたイメージと、皮膚に生成される物質の種類に応じて形態毎に生成された形態基本情報を対照し、皮膚に生成された物質を診断するように具備される。
【０１０６】
ここで、形態基本情報は、測定対象物の種類に応じて、大きさと形態に関する情報として提供される。
【０１０７】
例えば、黒色腫の悪性と良性を区分するＡＢＣＤＥ観察法において、Ａに該当する非対称的な形態、Ｂに該当する不明瞭な境界の形態、Ｄに該当する直径の大きさをそれぞれイメージ化して形態基本情報として提供することにより、被験者がイメージ形態を相互対照して容易に判断できる。
【０１０８】
図５は、本発明の他の実施例に係る多重光源を用いた皮膚状態測定装置における主要部分の作動状態を示す作動状態図である。
【０１０９】
図５を参照すると、本発明の他の実施例に係る多重光源を用いた皮膚状態測定装置１００は、ケーシング部１１０、反射撮影部１２０、直射センシング部１３０、制御部１４０及び撮影分析部１５０を含む。ここで、ケーシング部１１０、直射センシング部１３０、制御部１４０及び撮影分析部１５０の構成と反射撮影部の一部構成は、図１乃至図４で示した多重光源を用いた皮膚状態測定装置１００と同一なことから、差異を有する反射撮影部１２０の一部構成のみを説明すると、下記の通りである。
【０１１０】
反射撮影部１２０は、発光遮断体１２１、反射発光体１２２、反射本体１２３、撮影ミラー１２８及び撮影モジュール１２７を含む。ここで、発光遮断体１２１、反射発光体１２２及び反射本体１２３は、図１乃至図４で示した多重光源を用いた皮膚状態測定装置１００と同一なことから、差異を有する撮影ミラー１２８と撮影モジュール１２７に対してのみ説明する。
【０１１１】
撮影ミラー１２８は、発光遮断体１２１と反射本体１２３との間に配置されており、反射通孔１２６から既設定された距離で離れた一側に位置し、中央から一側方向に像を屈折させるミラー状で設けられ、撮影される画像を一側に屈折させるように具備される。
【０１１２】
撮影モジュール１２７は、ケーシング本体１１１の内部に配置されており、発光遮断体１２１の一側に、遮断体１１３の内部に形成された遮断空間１１４の内部の一側面における中央方向を撮影する位置に、撮影ミラー１２８で屈折された画像を撮影するように具備され、反射本体１２３に反射される光と直射発光体１３３から直射される光を選択的に照射した状態の皮膚を撮影するように具備される。
【０１１３】
すなわち、撮影モジュール１２７は、撮影ミラー１２８を通して屈折される遮断開放孔１１５を通した皮膚を撮影することによって、屈折によりフレア（Ｆｌａｒｅ）現象を最小化できる。
【０１１４】
図６は、本発明のさらに他の実施例に係る多重光源を用いた皮膚状態測定装置における主要部分の作動状態を示す作動状態図である。
【０１１５】
図６を参照すると、本発明のさらに他の実施例に係る多重光源を用いた皮膚状態測定装置１００は、ケーシング部１１０、反射撮影部１２０、直射センシング部１３０、制御部１４０及び撮影分析部１５０を含む。ここで、ケーシング部１１０、直射センシング部１３０、制御部１４０及び撮影分析部１５０の構成は、図１乃至図４で示した多重光源を用いた皮膚状態測定装置１００と同一なことから、差異を有する反射撮影部１２０のみを説明すると、下記の通りである。
【０１１６】
反射撮影部１２０は、発光遮断体１２１、反射発光体１２２、拡散板１２９及び撮影モジュール１２７を含む。
【０１１７】
発光遮断体１２１は、遮断体１１３の内部に配置されており、遮断体１１３の開放された他側を閉鎖するように設置され、光が遮断空間１１４で遮断されて遮断開放孔１１５を通して外部に照射されるように具備される。
【０１１８】
反射発光体１２２は、前記発光遮断体１２１から一側に既設定された距離で離れて配置されており、中央から既設定された距離で離れた外周の複数位置に、可視光線光、紫外線光及び赤外線光が他側に向かって照射されるようにそれぞれ具備された状態で前記制御部１４０で制御できるように連結され、制御信号により可視光線光、紫外線光及び赤外線光を選択的に他側方向に照射するように具備される。反射発光体１２２は、発光遮断体１２１と遮断体１１３との間の一側面に配置され、遮断開放孔１１５で開放された皮膚方向に選択された光が照射されるように設置される。
【０１１９】
拡散板１２９は、反射発光体１２２の一側に配置されており、反射発光体１２２と皮膚との間に位置し、前記反射発光体１２２から発光される光の照射範囲を拡大するように拡散し、間接光状で皮膚に照射されるように設置される。拡散板１２９は、反射発光体１２２と遮断開放孔１１５との間に位置し、遮断体１１３の内部に固定設置され、反射発光体１２２から照射される光を拡散により分散させて間接光状に変換することにより、散乱や光のにじみ現象により光ノイズが発生することを防止できる。
【０１２０】
撮影モジュールは１２７は、発光遮断体１２１の一側中央に固定配置されており、反射発光体１２２の他側に既設定された距離で離れて、拡散板１２９を通して拡散された光と直射センシング部１３０から直射される光を選択的に照射した状態の皮膚を撮影するように具備される。
【０１２１】
図７は、本発明の実施例に係る多重光源を用いた皮膚状態測定装置において、皮膚症状別に多重光源を用いてそれぞれのイメージを撮影した状態を示す写真である。
【０１２２】
図７を参照すると、本発明の実施例に係る多重光源を用いた皮膚状態測定装置１００を作動して、症状別に測定対象物を撮影したイメージを並べ立てたものである。
【０１２３】
上述した写真のうち、(1)は制御部１４０の制御により反射発光体１２２から反射可視光線光を照射して撮影したイメージであり、(2)は制御部１４０の制御により反射発光体１２２から反射赤外線光を照射して撮影したイメージであり、(3)は制御部１４０の制御により反射発光体１２２から反射紫外線光を照射して撮影したイメージであり、(4)は制御部１４０の制御により直射発光体１３３から直射赤外線光を照射して撮影したイメージである。
【０１２４】
かかるイメージは図７に示すように、例示的に色素沈着、皮脂、毛根、毛細血管、表皮母斑、及び真皮母斑を測定対象物に想定して、本発明の実施例に係る多重光源を用いた皮膚状態測定装置１００を作動して多重光源で撮影したイメージを提示する。
【０１２５】
図８は、本発明の実施例に係る多重光源を用いた皮膚状態測定装置において、皮膚分析のために撮影された複数のイメージを示す写真であり、図９は、図８のイメージを用いて皮膚を分析するイメージ分析方法により合成されたイメージを示す分析状態写真であり、図１０は、図８のイメージを用いて症状別にイメージを合成して分析する例を示す分析状態写真である。
【０１２６】
図8を参照すると、まず本発明の実施例に係る多重光源を用いた状態測定装置１００を作動して、(1)反射可視光線イメージ、(2)反射赤外線イメージ、(3)反射紫外線イメージ、(4)直射赤外線イメージを撮影モジュールで撮影し、そのイメージを撮影分析部１５０の画面合成部１５１に送出する。
【０１２７】
図９を参照すると、毛根や皮膚トラブルを測定するために皮膚を分析する方法により、(1)反射可視光線イメージ、(2)反射赤外線イメージ、(3)反射紫外線イメージに表れた皮膚の表皮状態と、(4)皮膚に浸透される赤外線を直射して撮影した直射赤外線イメージに表れた真皮状態をそれぞれ合成する。
【０１２８】
かかる合成時に、皮膚トラブルは皮膚の表皮のみに薄い深さで形成されており、毛根は皮膚の真皮内の毛包から毛が表皮に突出しているため、皮膚トラブルを撮影すると、(1)、(2)、(3)が撮影され、(4)は撮影されず、毛根の場合には、(1)、(2)、(3)、(4)がすべて撮影できるが、(4)はその形状や形態に差異がある。
【０１２９】
したがって、二つの画像を合成して重なる形状で提示された毛根を表して、皮膚トラブルと区分することにより、正確な情報を提供できる。
【０１３０】
図１０を参照すると、ａ）は多重光源を用いた皮膚状態測定装置１００にて色素沈着に関する情報を測定することであって、(2)反射赤外線イメージで観測されなかったため、(2)反射赤外線イメージと(3)反射紫外線イメージとを合成して測定を行う。
【０１３１】
ｂ）は多重光源を用いた皮膚状態測定装置１００にてしわに関する情報を測定することであって、(4)直射赤外線イメージで測定されなかったため、(1)反射可視光線イメージと(4)直射赤外線イメージとを合成して測定を行う。
【０１３２】
ｃ）は多重光源を用いた皮膚状態測定装置１００にて血管に関する情報を測定することであって、(4)直射赤外線イメージのみで測定できたため、(1)反射可視光線イメージと(4)直射赤外線イメージとを合成して測定を行う。
【０１３３】
図１１は、本発明の実施例に係る多重光源を用いた皮膚状態測定装置１００において、皮膚に生成されたほくろを多重光源で撮影したイメージを示した写真であり、図１２は、図１１で撮影したイメージを皮膚の深さ別に配列し、合成によるほくろの大きさと形態を立体的に表した過程を示す説明図である。
【０１３４】
図１１を参照すると、反射可視光線光、反射紫外線光及び反射赤外線光をそれぞれ照射する反射発光体１２２から選択的に照射して選択された波長にて、光源１の表皮から真皮までを相異なる深さ別にそれぞれ撮影を行う。
【０１３５】
また、直射発光体１３３から照射される直射赤外線光のうち相異なる複数の波長にて、光源２の表皮から真皮までを相異なる深さ別にそれぞれ撮影を行う。
【０１３６】
このように撮影されたイメージを相互比較してみると、光源１は真皮で明確にほくろの形態と色相を表しており、光源２は表皮では明確に区分されないが、真皮内の深い位置ではほくろの形態と大きさを明確に表している。
【０１３７】
図１２を参照すると、図１１で深さ別に撮影されたイメージを、皮膚の深さに応じる構造を参考しながら、表皮から真皮まで深さ別にそれぞれ異なる形態と色相を表しているイメージを選択し、合成により立体的に測定して、色相対照部１５２及び形態対照部１５３と対照して一般的なほくろか黒色腫かを判断する。黒色腫の場合には、悪性か良性かを検診する測定資料を提示する。
【０１３８】
さらに、本発明の実施例に係る多重光源を用いた皮膚状態測定装置１００は、皮膚の測定位置で光を照射する発光体、撮影モジュール１２７、ケーシング本体１１１、制御部１４０及び撮影分析部１５０を含む。ここで、撮影モジュール１２７、ケーシング本体１１１、制御部１４０及び撮影分析部１５０は、図１乃至図４で示した多重光源を用いた皮膚状態測定装置１００と類似なことから、図１乃至図４を参照して下記のように説明する。
【０１３９】
なお、発光体は、図１乃至図４に示した反射発光体１２２と直射発光体１３３が両方使用できるもので、下記では説明の混同を防止するために、符号の併記なしで記載されているが、反射発光体１２２と直射発光体１３３を両方使用できることは当業者に自明である。
【０１４０】
発光体は、皮膚の測定位置に選択的に照射されるように、相異なる波長の光源を区分して配置するように具備される。
【０１４１】
撮影モジュール１２７は、発光体から照射された光の状態に応じて測定位置を撮影するように具備される。
【０１４２】
ケーシング本体１１１は、発光体の相異なる波長の光源から照射される光が撮影モジュール１２７に直接照射されないように、遮蔽する構造に具備される。
【０１４３】
制御部１４０は、ケーシング本体１１１の内側に配置され、発光体の照射及び撮影モジュールの動作を制御するように具備される。制御部１４０は、発光体、撮影モジュール１２７及び撮影分析部１５０と連結されて、皮膚状態に応じて相異なる波長の光源のうち選択された一つの波長を発光体から測定位置に照射するように制御し、選択された波長の光が発光体から発光された状態で撮影モジュール１２７が撮影を行った後、撮影分析部１５０に転送し、イメージを分析するように制御する。
【０１４４】
撮影分析部１５０は、測定位置における皮膚表面から皮膚内側の既設定された深さまで撮影された複数のイメージを合成し、深さ軸に合成されたイメージを生成するように具備される。かかる撮影分析部１５０は、合成されたイメージを分析し、測定位置におけるほくろの存在可否、存在するほくろの大きさ、形態、色相などの情報を取得し、これに基づき前記ほくろの深さ又はほくろが母斑を構成するメラニンの変形かどうかを分析できる。
【０１４５】
かかる説明は、本発明の技術思想を例示的に説明したものに過ぎず、本発明が属する技術分野で通常の知識を有した者であれば、本発明の本質的な特性から逸脱しない範囲内で様々な修正及び変形が可能である。
【０１４６】
したがって、本発明に開示された実施例は、本発明の技術思想を限定するためではなく、説明するためのものであり、このような実施例により本発明の技術思想の範囲が限定されるものではない。
【０１４７】
本発明の保護範囲は、以下の請求範囲により解釈されるべきであり、それと同等な範囲内にあるすべての技術思想は、本発明の権利範囲に含まれるものとして解釈されなければならないであろう。
【手続補正２】
【補正対象書類名】図面
【補正対象項目名】図１３
【補正方法】追加
【補正の内容】
【図１３】
2020513966.tif 000017
【国際調査報告】
2020513966.tif 000018
2020513966.tif 000019
2020513966.tif 000020
2020513966.tif 000021